(57)【要約】      （修正有）【課題】遊技の興趣性を向上させた予告演出を行う遊技機を提供する。【解決手段】識別情報が変動表示されている期間である変動表示期間中における複数の出力タイミングにて、特別遊技への移行期待度を表す予告情報を、情報出力部にて出力し得るよう構成されており、変動表示期間中における複数の出力タイミングよりも前のタイミングである特定の出力タイミングにて、当該特定の出力タイミングから複数の出力タイミングの夫々のタイミングに到達するまでの残り時間に係る情報を情報出力部にて出力し得るよう構成された遊技機。【選択図】図２４
2014042563.tif 000002
【特許請求の範囲】
【請求項１】
識別情報を変動表示及び停止表示可能な識別情報表示部と、
情報を出力可能な情報出力部と
を備え、
所定の乱数取得条件を充足した場合、遊技内容を決定する乱数を取得する乱数取得手段と、
前記乱数に基づき、前記遊技内容として、識別情報の変動内容及び停止識別情報を決定する識別情報表示内容決定手段と、
識別情報表示内容決定手段により決定された変動内容に従い、識別情報を識別情報表示部上にて変動表示した後、停止識別情報を表示するよう制御する識別情報表示制御手段と、
識別情報表示部上にて表示された停止識別情報が所定態様であった場合、遊技者にとって有利な特別遊技へ移行し得る特別遊技実行手段と、
識別情報が変動表示されている期間である変動表示期間中における複数の出力タイミングにて、特別遊技への移行期待度を表す予告情報を、情報出力部にて出力し得る予告情報出力制御手段と
を備え、
予告情報出力制御手段は、
変動表示期間中における前記複数の出力タイミングよりも前のタイミングである特定の出力タイミングにて、当該特定の出力タイミングから前記複数の出力タイミングの夫々のタイミングに到達するまでの残り時間に係る情報を情報出力部にて出力し得る
ことを特徴とする遊技機。
【発明の詳細な説明】
【技術分野】
【０００１】
遊技機に関する。
【背景技術】
【０００２】
現在最も普及しているぱちんこ遊技機は、始動口（スタートチャッカー）に遊技球が入球したことを契機として、７セグ等の表示部上で「特別図柄」（或いは主遊技図柄）と称される図柄が変動表示され、当該特別図柄が特定態様（例えば「７」）となった場合、通常遊技状態よりも遊技者にとって利益状態の高い特別遊技状態｛通常時は閉状態にある大入賞口（いわゆるアタッカー）が所定条件で開放する内容の遊技｝に移行するタイプの機種（いわゆる「第一種ぱちんこ遊技機」）である。ここで、遊技者の利益に直結する特別図柄の表示制御の負担を軽減するために、前記の「特別図柄」とは別に、遊技の興趣性を高めるための演出用の「装飾図柄」と称される図柄が、前記特別図柄の変動とシンクロした形で、前記表示部よりもサイズが大きい液晶等のディスプレー上で変動表示される。そして、特別図柄の変動が開始されると装飾図柄もこれに合わせて変動を開始し、特別図柄が特定態様（例えば「７」）で停止した場合、装飾図柄もこれに合わせて所定態様（例えば「７７７」）で停止することとなる。そして、遊技者は、装飾図柄が所定態様で停止したことにより、特別遊技へ移行が確定したことを認識する。
【０００３】
ここで、当該仕組みはこの種のぱちんこ遊技機で共通するので、他種との差別化を図るためには、前記図柄の変動態様を含めた演出全般に対し、いかに工夫を凝らし高い興趣性を付与するかということに注力されている。例えば、装飾図柄の図柄変動と連動して実行され得る演出であって特別遊技への移行期待度等を示唆する画像表示を行う、いわゆる予告演出を実行する演出手法がその一つである。また、近年では、予告演出の実行タイミングを事前報知することで、どのような演出がどのタイミングで行われるかを認識し易くすると共に、現在進行中の他の演出とどのように連動するのかを時間経過に応じて把握容易に構成されているものもある。
【特許文献１】特開２００４−１１３３５９号公報
【特許文献２】特開２００８−６１７６７号公報
【特許文献３】特開２０１１−２１８０９９号公報
【発明の概要】
【発明が解決しようとする課題】
【０００４】
しかしながら、このような演出手法は従来から多用されているため、遊技の興趣性を向上させるためには更なる改善が必要であるという課題が存在する。
【課題を解決するための手段】
【０００５】
本態様に係る遊技機は、
識別情報を変動表示及び停止表示可能な識別情報表示部（例えば、装図表示部２１４１）と、
情報を出力可能な情報出力部（例えば、演出表示装置２１４０）と
を備え、
所定の乱数取得条件を充足した場合、遊技内容を決定する乱数を取得する乱数取得手段（例えば、乱数取得判定実行手段１１２０）と、
前記乱数に基づき、前記遊技内容として、識別情報の変動内容及び停止識別情報を決定する識別情報表示内容決定手段（例えば、図柄内容決定手段１１４０）と、
識別情報表示内容決定手段（例えば、図柄内容決定手段１１４０）により決定された変動内容に従い、識別情報を識別情報表示部（例えば、装図表示部２１４１）上にて変動表示した後、停止識別情報を表示するよう制御する識別情報表示制御手段（例えば、装飾図柄表示制御手段２１５２ａ）と、
識別情報表示部（例えば、装図表示部２１４１）上にて表示された停止識別情報が所定態様であった場合、遊技者にとって有利な特別遊技へ移行し得る特別遊技実行手段（例えば、特別遊技制御手段１１７０）と、
識別情報が変動表示されている期間である変動表示期間中における複数の出力タイミングにて、特別遊技への移行期待度を表す予告情報を、情報出力部（例えば、演出表示装置２１４０）にて出力し得る予告情報出力制御手段（例えば、予告演出内容決定手段２１５２ａ−５）と
を備え、
予告情報出力制御手段（例えば、予告演出発生タイミング示唆演出制御手段２１５２ａ−７）は、
変動表示期間中における前記複数の出力タイミングよりも前のタイミングである特定の出力タイミングにて、当該特定の出力タイミングから前記複数の出力タイミングの夫々のタイミングに到達するまでの残り時間に係る情報を情報出力部にて出力し得る
ことを特徴とする遊技機である。
【発明の効果】
【０００６】
本態様に係る遊技機によれば、いわゆる予告演出を実行する演出手法において、遊技の興趣性を更に向上させることができるという効果を奏する。
【図面の簡単な説明】
【０００７】
【図１】図１は、本実施形態に係るぱちんこ遊技機の正面図である。
【図２】図２は、本実施形態に係るぱちんこ遊技機の背面図である。
【図３】図３は、本実施形態に係るぱちんこ遊技機の機能ブロック図である。
【図４】図４は、本実施形態に係るぱちんこ遊技機における、主制御装置側でのメインフローチャートである。
【図５】図５は、本実施形態に係るぱちんこ遊技機における、主制御装置側での補助遊技側乱数取得処理のフローチャートである。
【図６】図６は、本実施形態に係るぱちんこ遊技機における、主制御装置側での電動役物駆動判定処理のフローチャートである。
【図７】図７は、本実施形態に係るぱちんこ遊技機における、主制御装置側での主遊技側乱数取得処理のフローチャートである。
【図８】図８は、本実施形態に係るぱちんこ遊技機における、主制御装置側での主遊技図柄表示処理のフローチャートである。
【図９】図９は、本実施形態に係るぱちんこ遊技機における、主制御装置側での特定遊技終了判定処理のフローチャートである。
【図１０】図１０は、本実施形態に係るぱちんこ遊技機における、主制御装置側での特別遊技作動条件判定処理のフローチャートである。
【図１１】図１１は、本実施形態に係るぱちんこ遊技機における、主制御装置側での特別遊技制御処理のフローチャートである。
【図１２】図１２は、本実施形態に係るぱちんこ遊技機における、主制御装置側での特別遊技終了後の遊技状態決定処理のフローチャートである。
【図１３】図１３は、本実施形態に係るぱちんこ遊技機における、演出表示制御装置（サブメイン基板）側でのメインフローチャートである。
【図１４】図１４は、本実施形態に係るぱちんこ遊技機における、演出表示制御装置（サブメイン基板）側での保留情報管理処理のフローチャートである。
【図１５】図１５は、本実施形態に係るぱちんこ遊技機における、演出表示制御装置（サブメイン基板）側での装飾図柄表示内容決定処理のフローチャートである。
【図１６】図１６は、本実施形態に係るぱちんこ遊技機における、演出表示制御装置（サブメイン基板）側での装飾図柄表示内容決定処理にて参照されるテーブル構成図である。
【図１７】図１７は、本実施形態に係るぱちんこ遊技機における、演出表示制御装置（サブメイン基板）側での予告演出内容決定処理のフローチャート及び予告演出内容決定処理にて参照されるテーブル構成図である。
【図１８】図１８は、本実施形態に係るぱちんこ遊技機における、演出表示制御装置（サブメイン基板）側での装飾図柄表示制御処理のフローチャートである。
【図１９】図１９は、本実施形態に係るぱちんこ遊技機における、演出表示制御装置（サブメイン基板）側での表示更新処理のフローチャートである。
【図２０】図２０は、本実施形態に係るぱちんこ遊技機における、演出表示制御装置（サブメイン基板）側での予告演出発生タイミング示唆演出表示処理のフローチャートである。
【図２１】図２１は、本実施形態に係るぱちんこ遊技機における、演出表示制御装置（サブメイン基板）側での特別遊技中表示制御処理のフローチャートである。
【図２２】図２２は、第二実施形態に係るぱちんこ遊技機における、演出表示制御装置（サブメイン基板）側での予告演出内容決定処理のフローチャート及び予告演出内容決定処理にて参照されるテーブル構成図である。
【図２３】図２３は、第二実施形態に係るぱちんこ遊技機における、演出表示制御装置（サブメイン基板）側での表示更新処理のフローチャートである。
【図２４】図２４は、第二実施形態に係るぱちんこ遊技機における、演出表示制御装置（サブメイン基板）側での予告演出発生タイミング示唆演出表示処理のフローチャート及び表示イメージ図である。
【図２５】図２５は、第二実施形態の変更例１に係るぱちんこ遊技機における、演出表示制御装置（サブメイン基板）側での表示更新処理のフローチャート及び表示更新処理にて参照されるテーブル構成図である。
【図２６】図２６は、第二実施形態の変更例２に係るぱちんこ遊技機における、演出表示制御装置（サブメイン基板）側でのメインフローチャートである。
【図２７】図２７は、第二実施形態の変更例２に係るぱちんこ遊技機における、演出表示制御装置（サブメイン基板）側での予告演出発生タイミング示唆演出表示処理のフローチャートである。
【図２８】図２８は、第二実施形態の変更例２に係るぱちんこ遊技機における、演出表示制御装置（サブメイン基板）側での予告演出発生タイミング示唆演出延長表示制御処理のフローチャートである。
【実施するための形態】
【０００８】
以下、本実施形態における用語について説明する。尚、各用語の意義は特に限定されないが、理解の容易上例示的に説明する。「識別情報」とは、五感（視覚、聴覚、触覚等）を通じて情報の種類を識別可能であればどのような形態でもよいが、好適には、視覚的なもの、例えば、数字、文字、図柄等の形状のあるものを挙げることができる。「識別情報を変動表示及び停止表示可能」とは、表示方法には何ら限定されず、例えば、発光手段（例えば液晶、ＬＥＤ、７セグ）の発光（発光の有無だけでなく、色の違いも含む）、物理的な表示（例えば、リール帯に描かれた図柄を所定位置に停止表示する）等、を挙げることができる。「入球」とは、賞球が払い出される入賞のみならず、賞球払い出しの無い「スルーチャッカー」への通過も含む。「乱数」とは、遊技機において何らかの遊技内容を決定するための抽選（電子計算機によるくじ）に使用される乱数であり、狭義の乱数の他に擬似乱数も含む（例えば、乱数としてはハード乱数、擬似乱数としてはソフト乱数）。例えば、遊技の結果に影響を与えるいわゆる「基本乱数」、具体的には、特別遊技の移行と関連した「当選乱数（当否抽選用乱数）」、識別図柄の変動態様（又は変動時間）を決定するための「変動態様決定乱数」、停止図柄を決定する「図柄決定乱数」、特別遊技後に特定遊技（例えば確率変動遊技）に移行するか否かを決定する「当り図柄決定乱数」等を挙げることができる。尚、変動態様の内容や確定識別情報の内容等を決定する際、これらすべての乱数を使用する必要はなく、互いに同一又は相違する、少なくとも一つの乱数を使用すればよい。また、例えば、一種の乱数（例えば当選乱数）が、別種の乱数（例えば図柄決定乱数）を兼ねていてもよい。
【０００９】
以下、本実施形態について説明する。尚、以下の実施形態は、従来の第１種ぱちんこ遊技機に関するものであるが、これに限定されず、他の遊技機｛例えば、従来の第２種や第３種、一般電役、普通機、複合機（例えば、従来の第１種の機能を二つ有する遊技機や、従来の第１種の機能と従来の第２種の機能を一つ有する遊技機）といったぱちんこ遊技機や回胴式遊技機（いわゆるスロットマシン）｝に応用された場合も範囲内である。尚、あくまで一実施形態であり、各手段が存在する場所や機能等、各種処理に関しての各ステップの順序、フラグのオン・オフのタイミング、各ステップの処理を担う手段名等に関し、以下の態様に限定されるものではない。更に、以下の実施形態や変更例は、特定のものに対して適用されると限定的に解すべきでなく、どのような組み合わせであってもよい。例えば、ある実施形態についての変更例は、別の実施形態の変更例であると理解すべきであり、また、ある変更例と別の変更例が独立して記載されていたとしても、当該ある変更例と当該別の変更例を組み合わせたものも記載されていると理解すべきである。また、本実施形態では、各種テーブルに関し、抽選テーブルと参照テーブルとが存在するが、これらも限定的ではなく、抽選テーブルを参照テーブルとしたり或いはこの逆としてもよい。
【００１０】
まず、図１を参照しながら、本実施形態に係るぱちんこ遊技機の前面側の基本構造を説明する。ぱちんこ遊技機は、主に遊技機枠と遊技盤で構成される。以下、これらを順に説明する。
【００１１】
はじめに、ぱちんこ遊技機の遊技機枠は、外枠１０２、前枠１０４、透明板１０６、扉１０８、上球皿１１０、下球皿１１２及び発射ハンドル１１６を含む。まず、外枠１０２は、ぱちんこ遊技機を設置すべき位置に固定するための枠体である。前枠１０４は、外枠１０２の開口部分に整合する枠体であり、図示しないヒンジ機構を介して外枠１０２に開閉可能に取り付けられる。前枠１０４は、遊技球を発射する機構、遊技盤を着脱可能に収容させるための機構、遊技球を誘導又は回収するための機構等を含む。透明板１０６は、ガラス等により形成され、扉１０８により支持される。扉１０８は、図示しないヒンジ機構を介して前枠１０４に開閉可能に取り付けられる。上球皿１１０は、遊技球の貯留、発射レールへの遊技球の送り出し、下球皿１１２への遊技球の抜き取り等の機構を有する。下球皿１１２は、遊技球の貯留、抜き取り等の機構を有する。また、上球皿１１０と下球皿１１２の間にはスピーカ１１４が設けられており、遊技状態等に応じた効果音が出力される。
【００１２】
次に、遊技盤は、外レール１２２と内レール１２４とにより区画された遊技領域１２０が形成されている。そして、当該遊技領域１２０には、図示しない複数の遊技釘及び風車等の機構や各種一般入賞口の他、主遊技始動口２１１０、補助遊技始動口２２１０、大入賞口２１２０、主遊技図柄表示装置２１３０、演出表示装置２１４０、補助遊技図柄表示装置２２２０、センター飾り１９２及びアウト口１４２が設置されている。以下、各要素を順番に詳述する。
【００１３】
まず、主遊技始動口２１１０は、主遊技に対応する始動入賞口として設置されている。具体的構成としては、主遊技始動口２１１０は、主遊技始動口入球検出装置２１１１と、主遊技始動口電動役物２１１２と、主遊技始動口電動役物２１１２を開閉させるための主遊技始動口電動役物ソレノイド２１１２ａとを備える。ここで、主遊技始動口入球検出装置２１１１は、主遊技始動口２１１０への遊技球の入球を検出するセンサであり、入球時にその入球を示す主遊技始動口入球情報を生成する。次に、主遊技始動口電動役物２１１２は、主遊技始動口２１１０に遊技球が入賞し得る通常状態と当該通常状態よりも遊技球が入賞し易い開放状態に可変する。
【００１４】
次に、補助遊技始動口２２１０は、補助遊技に対応する始動入賞口として設置されている。具体的構成としては、補助遊技始動口２２１０は、補助遊技始動口入球検出装置２２１１を備える。ここで、補助遊技始動口入球検出装置２２１１は、補助遊技始動口２２１０への遊技球の入球を検出するセンサであり、入球時にその入球を示す補助遊技始動口入球情報を生成する。尚、補助遊技始動口２２１０への遊技球の入球は、主遊技始動口２１１０の主遊技始動口電動役物２１１２を拡開させるための抽選の契機となる。
【００１５】
次に、大入賞口２１２０は、主遊技が所定態様で停止した場合に開状態となる、横長方形状を成しアウト口１４２の上方に位置した、主遊技に対応した入賞口である。具体的構成としては、大入賞口２１２０は、遊技球の入球を検出するための大入賞口入賞検出装置２１２１と、大入賞口電動役物２１２２と、大入賞口電動役物２１２２を開閉させるための大入賞口電動役物ソレノイド２１２２ａとを備える。ここで、大入賞口入賞検出装置２１２１は、大入賞口２１２０への遊技球の入球を検出するセンサであり、入球時にその入球を示す大入賞口入球情報を生成する。大入賞口電動役物２１２２は、大入賞口２１２０に遊技球が入賞不能又は入賞困難な通常状態と遊技球が入賞し易い開放状態に大入賞口２１２０を可変させる。
【００１６】
次に、主遊技図柄表示装置２１３０は、主遊技に対応する主遊技図柄（特別図柄）の変動表示及び停止表示を行う。具体的構成としては、主遊技図柄表示装置２１３０は、主遊技図柄表示部２１３１と、主遊技図柄保留表示部２１３２とを備える。ここで、主遊技図柄保留表示部２１３２は、４個のランプから構成され、当該ランプの点灯個数が、主遊技に係る乱数の保留数（実行されていない主遊技図柄の変動数）に相当する。尚、主遊技図柄表示装置２１３０は、例えば７セグメントＬＥＤで構成されている場合には、主遊技図柄は、「０」〜「７」の８種類の数字及びハズレの「−」で表示される。
【００１７】
尚、主遊技図柄は必ずしも演出的な役割を持つ必要が無いため、本実施形態では、主遊技図柄表示装置２１３０の大きさは、目立たない程度に設定されている。しかしながら、主遊技図柄自体に演出的な役割を持たせて装飾図柄を表示させないような手法を採用する場合には、後述する演出表示装置２１４０のような液晶ディスプレイに、主遊技図柄を表示させるように構成してもよい。
【００１８】
次に、演出表示装置２１４０は、主として、主遊技図柄と連動して変動・停止する装飾図柄を含む演出画像の変動表示及び停止表示が行われる。具体的構成としては、演出表示装置２１４０は、装図表示部２１４１と、装図保留表示部２１４２とを備える。ここで、装図表示部２１４１は、例えば、スロットマシンのゲームを模した複数列の装飾図柄変動の動画像を画面の中央領域に表示する。尚、演出表示装置２１４０は、本実施形態では液晶ディスプレイで構成されているが、機械式のドラムやＬＥＤ等の他の表示手段で構成されていてもよい。次に、装図保留表示部２１４２は、４個のランプから構成され、当該ランプは、主遊技図柄の保留ランプと連動している。
【００１９】
次に、補助遊技図柄表示装置２２２０は、補助遊技図柄（普通図柄）の変動表示及び停止表示が行われる。具体的構成としては、補助遊技図柄表示装置２２２０は、補助遊技図柄表示部２２２１と、補助遊技図柄保留表示部２２２２とを備える。ここで、補助遊技図柄保留表示部２２２２は、４個のランプから構成され、当該ランプの点灯個数が、補助遊技図柄変動の保留数（実行されていない補助遊技図柄変動の数）に相当する。
【００２０】
最後に、センター飾り１９２は、演出表示装置２１４０の周囲に設置され、遊技球の流路、演出表示装置２１４０の保護、装飾等の機能を有する。また、遊技効果ランプ１９０は、遊技領域１２０又は遊技領域１２０以外の領域に設けられ、点滅等することで演出の役割を果たす。
【００２１】
次に、図２を参照しながら、ぱちんこ遊技機の背面側における基本構造を説明する。ぱちんこ遊技機には、ぱちんこ遊技機の全体動作を制御し、特に主遊技始動口２１１０へ入球したときの抽選等、遊技動作全般の制御（即ち、遊技者の利益と直接関係する制御）を行う主制御装置（メイン基板）１０００と、遊技内容に興趣性を付与する装図表示部２１４１上での各種演出・情報報知に係る表示制御を行う演出表示制御装置（演出表示制御手段）｛サブ基板（サブメイン基板）｝２１５０と、サブ基板２１５０からのコマンドを受けて遊技の興趣性を高める演出が表示される演出表示装置２１４０と｛サブ基板（サブサブ基板）｝、賞球タンク２１２、賞球レール２１４及び各入賞口への入賞に応じて賞球タンク２１２から供給される遊技球を上球皿１１０へ払い出す払出ユニット２１６等を備える賞球払出機構（セット基盤）２１０と、払出ユニット２１６による払出動作を制御する賞球払出制御装置（賞球払出制御基板）３０００と、上球皿１１０の遊技球（貯留球）を遊技領域１２０へ１球ずつ発射する発射装置２３２と、発射装置２３２の発射動作を制御する発射制御基板２３０と、ぱちんこ遊技機の各部へ電力を供給する電源ユニット２９０と、ぱちんこ遊技機の電源をオンオフするスイッチである電源スイッチ２９２等が、前枠１０４裏面（遊技側と反対側）に設けられている。尚、メイン基板、サブメイン基板、サブサブ基板、賞球払出制御基板は、それぞれ別個にＣＰＵ、ＲＯＭ及びＲＡＭを有している。
【００２２】
次に、図３のブロック図を参照しながら、本実施形態に係るぱちんこ遊技機の各種機能について説明する。はじめに、主制御装置１０００は、遊技に係る遊技周辺機器２０００｛（主遊技周辺機器Ａ、補助遊技周辺機器２２００）、演出に係るサブメイン制御装置（演出表示制御手段２１５０）、主制御装置１０００からの払出指示に基づき所定数の賞球の払出制御を行う賞球払出制御装置３０００｝と、情報伝達可能に接続されている。また、サブメイン制御装置（演出表示制御手段２１５０）は、画像演出を実行するサブサブ制御装置（演出表示装置２１４０）、各種遊技効果ランプ１９０（例えばサイドランプ）やスピーカ１１４等とも電気的に接続されている。そして、サブサブ制御装置（演出表示装置２１４０）は、十字キーやボタン等の遊技者によって操作可能な演出操作装置（いわゆるサブ入力ボタン）４０００と電気的に接続されている。更に、賞球払出制御装置３０００は、ステッピングモータやスプロケット等を備えた賞球払出装置と電気的に接続されている。尚、主制御装置１０００、サブメイン制御装置（演出表示制御手段２１５０）、サブサブ制御装置（演出表示装置２１４０）、賞球払出制御装置３０００等は、ハードウエア的にはデータやプログラムを格納するＲＯＭやＲＡＭ、演算処理に用いるＣＰＵ等の素子等から構成される。また、演出表示制御手段２１５０（サブ基板）や演出表示装置２１４０（サブサブ基板）については後述する。尚、以下で主制御装置１０００に含まれるとする各手段を周辺機器（例えば、遊技周辺機器２０００）に搭載される形で構成してもよい。例えば、周辺機器（例えば、遊技周辺機器２０００）に含まれるとする各手段を主制御装置１０００に搭載される形で構成してもよい。以下、上記各手段（装置）の詳細を説明する。
【００２３】
まず、主制御装置１０００は、主遊技（特別遊技等）・補助遊技・一般遊技に関する主たる制御を司る遊技制御手段１１００と、遊技周辺機器２０００やサブ基板側に各種遊技情報｛例えば、停止図柄情報、停止図柄の属性情報（例えば、確率変動大当り、突然確率変動大当り、時間短縮変動大当り、小当り、ハズレ）、変動態様に関する情報（例えば、変動時間）、特別遊技の開始信号・状態情報・終了信号、保留情報等｝を送信するための情報送信手段１２００と、各種入賞口への遊技球の入賞に基づき所定の賞球の払出を行うように賞球払出制御装置３０００を制御する賞球払出決定手段１３００とを有している。
【００２４】
ここで、遊技制御手段１１００は、各入球口（始動口等）への遊技球の流入を判定するための入球判定手段１１１０と、各乱数の取得可否を判定し、当該判定結果に基づき当該各乱数を取得するための乱数取得判定実行手段１１２０と、変動表示中における各始動口への入球を保留球として上限個数以内で一時記憶するための保留制御手段１１３０と、後述する主遊技側乱数（当選乱数）に基づき当りであるか否かを抽選する当否抽選手段１１３５と、各乱数に基づき、各図柄の停止図柄及び変動態様（変動時間等）を決定するための図柄内容決定手段１１４０と、各図柄の変動及び停止表示する制御を行うための表示制御手段１１５０と、主遊技始動口２１１０の主遊技始動口電動役物２１１２の開閉決定に直接関連する各種処理を行うための電動役物開閉制御手段１１６０と、通常遊技よりも遊技者に有利な特別遊技に関する制御を司る特別遊技制御手段１１７０と、主遊技及び補助遊技に関し、現在の遊技状態をどの遊技状態に移行させるかの決定と、当該決定に基づき遊技状態を移行させる処理を行うための特定遊技制御手段１１８０と、現在の遊技状態［例えば、主遊技に関する状態｛通常遊技状態、特定遊技状態（確率変動遊技状態、時間短縮遊技状態）、特別遊技状態｝、補助遊技に関する状態（易開放状態、非易開放状態）、主遊技図柄に係る停止図柄及び変動態様情報、各種フラグのオンオフ状況、特別遊技中の遊技状態（例えばラウンド数や入賞個数情報）］等を一時記憶するための遊技状態一時記憶手段１１９０とを有している。以下、各手段について詳述する。
【００２５】
まず、入球判定手段１１１０は、主遊技始動口２１１０へ遊技球が入球したか否かを判定する主遊技始動口入球判定手段１１１１と、補助遊技始動口２２１０に遊技球が流入したか否かを判定する補助遊技始動口入球判定手段１１１２とを有している。
【００２６】
次に、乱数取得判定実行手段１１２０は、主遊技始動口２１１０への遊技球の入球に基づき主遊技側乱数を取得するか否かを判定すると共に、判定結果に応じて当該乱数（例えば、当選乱数、変動態様決定乱数、主遊技図柄決定乱数等）を取得する主遊技乱数取得判定実行手段１１２１と、補助遊技側乱数の取得の可否を判定し、当該判定結果に基づき当該乱数を取得するための補助遊技乱数取得判定実行手段１１２２とを有している。
【００２７】
ここで、上記を含め本特許請求の範囲及び本明細書における「乱数」は、例えば、乱数の種類により割り振られた「０」〜「６５５３５」（当選乱数）や「０」〜「２５５」（変動態様決定乱数）といった所定範囲からランダムに選択された値である。また、乱数としては、数学的に発生させる乱数でなくともよく、ハードウエア乱数やソフトウエア乱数等により発生させる擬似乱数でもよい。例えば、乱数にある夫々の値の発現方式が、乱数の数列に沿って順々に値を発現させる方式（プラスワン方式）、乱数の数列の最終値が発現したときの次の値（初期値）を偶然性のある値によって定める方式（初期値更新方式）、これらの組み合わせ等を挙げることができる。
【００２８】
次に、保留制御手段１１３０は、主遊技図柄変動許可が下りていない状況で取得した当該主遊技側乱数を一時記憶するか否かを判定し、当該判定結果に基づき前記乱数を図柄変動許可が下りるまで主遊技図柄保留情報一時記憶手段１１３１ａに保留するための主遊技図柄保留手段１１３１と、補助遊技図柄変動許可が下りていない状況で取得した当該補助遊技側乱数を一時記憶するか否かを判定し、当該判定結果に基づき前記乱数を図柄変動許可が下りるまで補助遊技図柄保留情報一時記憶手段１１３２ａに保留するための補助遊技図柄保留手段１１３２と、を有している。ここで、主遊技図柄保留手段１１３１及び補助遊技図柄保留手段１１３２は、最大４個まで記憶可能な、前記乱数を保留順序と結合した形で一時記憶するための、主遊技図柄保留情報一時記憶手段１１３１ａ及び補助遊技図柄保留情報一時記憶手段１１３２ａを夫々有している。
【００２９】
次に、当否抽選手段１１３５は、当否抽選の結果、当りである場合に特別遊技への移行決定をする（例えば、内部的に当りフラグをオンにする）特別遊技移行決定手段１１３５ａと、当否抽選を行う際に参照される当否抽選用テーブル１１３５ｂと、を有している。ここで、当否抽選用テーブル１１３５ｂは、主遊技図柄に関しての大当り抽選を行う際に参照される主遊技用当否抽選テーブル１１３５ｂ−１を有している。尚、各抽選テーブルは、図示しないが、遊技状態毎に異なるテーブルを有している。例えば、各抽選テーブルは、通常遊技状態（時間短縮遊技状態）の際に用いられる低確率抽選用テーブルと、確率変動遊技状態の際に用いられる高確率抽選用テーブルと、を有する。
【００３０】
次に、図柄内容決定手段１１４０は、取得した主遊技側乱数に基づき、主遊技図柄の停止図柄と変動態様（変動時間等）を決定する主遊技内容決定手段１１４１と、取得した補助遊技側乱数に基づき補助遊技図柄の停止図柄を決定する補助遊技内容決定手段１１４２とを有している。
【００３１】
ここで、主遊技内容決定手段１１４１は、主遊技図柄に係る停止図柄や変動態様を決定する際に参照される主遊技内容決定用抽選テーブル１１４１ａを有しており、当該主遊技内容決定用抽選テーブル１１４１ａは、当否結果・遊技状態・保留球数に応じて異なる各種抽選テーブルを備えている（例えば、遊技状態に関しては、通常遊技→主遊技通常遊技状態用抽選テーブル、確率変動遊技→主遊技確率変動遊技状態用抽選テーブル、時間短縮遊技→主遊技時間短縮遊技状態用抽選テーブル）。更に、補助遊技内容決定手段１１４２は、補助遊技図柄に係る停止図柄を決定する際に参照される補助遊技内容決定用抽選テーブル１１４２ａを有しており、当該補助遊技内容決定用抽選テーブル１１４２ａは、遊技状態に応じて異なる各種当選テーブルを備えている（例えば、通常遊技→補助遊技通常用抽選テーブル、確率変動遊技及び時間短縮遊技→補助遊技時間短縮用抽選テーブル）（テーブルの詳細については不図示）。
【００３２】
次に、表示制御手段１１５０は、主遊技図柄表示装置２１３０の主遊技図柄表示部２１３１上で、所定時間主遊技図柄を変動させた後に停止表示する制御を行う主遊技図柄制御手段１１５１と、補助遊技図柄表示装置２２２０の補助遊図柄技表示部２２２１上で、所定時間補助遊技図柄を変動させた後に停止表示する制御を行う補助遊技図柄制御手段１１５２とを有している。
【００３３】
ここで、主遊技図柄制御手段１１５１は、前記主遊技内容決定手段１１４１により決定された変動態様に係る変動時間を管理するための主遊技図柄変動時間管理手段１１５１ａを更に有している。また、主遊技図柄変動時間管理手段１１５１ａは、ゼロクリア可能な主遊技図柄変動管理用タイマ１１５１ａ−１（デクリメントカウンタ）を更に有している。更に、補助遊技図柄制御手段１１５２は、補助遊技図柄表示装置２２２０の補助遊技図柄表示部２２２１上での補助遊技図柄の変動時間を管理するための補助遊技図柄変動時間管理手段１１５２ａを有している。また、補助遊技図柄変動時間管理手段１１５２ａは、時間を計測可能な補助遊技図柄変動管理用タイマ１１５２ａ−１を更に備えている。
【００３４】
次に、電動役物開閉制御手段１１６０は、主遊技始動口２１１０の主遊技始動口電動役物２１１２を開閉する処理を行うための条件を充足しているか否かを判定するための条件判定手段１１６１と、主遊技始動口２１１０の主遊技始動口電動役物２１１２の駆動（開放）時間を計測する開放タイマ１１６２とを有している。
【００３５】
次に、特別遊技制御手段１１７０は、特別遊技に移行するための条件を充足しているか否か、具体的には、当りに当選している（当りフラグが発生している）か否かの判定と共に、主遊技図柄が所定態様で停止したか否かを判定する条件判定手段１１７１と、特別遊技移行条件を充足している場合、当該特別遊技の内容（具体的には、ラウンド数、ラウンド間時間等）を特別遊技関連情報一時記憶手段１１９１ｃ中にセットする特別遊技内容決定手段１１７２と、大入賞口２１２０を所定条件で開状態にするという特別遊技を実行するための特別遊技実行手段１１７３と、特別遊技に関する各種処理の時間管理を行うための特別遊技時間管理手段１１７４とを有している。ここで、特別遊技時間管理手段１１７４は、時間を計測可能な特別遊技用タイマ１１７４ａを更に有している。また、特別遊技内容決定手段１１７２は、特別遊技関連情報一時記憶手段１１９１ｃにセットされるべき前記特別遊技の内容を特定する際に参照される特別遊技内容参照テーブル１１７２ａを更に有している（テーブルの詳細については不図示）。
【００３６】
次に、特定遊技制御手段１１８０は、特定遊技状態の終了条件を充足しているか否かを判定する特定遊技終了条件判定手段１１８１を有している。ここで、特定遊技終了条件判定手段１１８１は、時短回数をカウント可能な時短回数カウンタ１１８１ａを更に有している。ここで、「特定遊技」とは、例えば、特別遊技への抽選確率が通常遊技時よりも高い確率変動遊技や、主遊技図柄の変動時間が通常遊技時よりも相対的に短い時間短縮遊技を指す。
【００３７】
ここで、本実施形態においては、当該時短中には非時短中と比較して、主遊技図柄の変動時間が相対的に短縮される（時間短縮機能）。更に、補助遊技図柄の変動時間も相対的に短縮されると共に、主遊技始動口２１１０の主遊技始動口電動役物２１１２の開放時間が相対的に延長される（開放時間延長機能）。尚、上記の特定遊技終了条件判定手段１１８１は、例えば、回数制限付きの確率変動遊技において終了回数に到達したか否かを判定する機能を有していたり（回数制限付確率変動遊技機能を有するぱちんこ遊技機の場合）、図柄変動の度に所定確率で特定遊技（例えば確率変動遊技や時間短縮遊技）から通常遊技への移行抽選を行う機能を有していてもよい（転落抽選機能を有するぱちんこ遊技機の場合）。
【００３８】
次に、遊技状態一時記憶手段１１９０は、主遊技における現在の遊技状態を一時記憶するための主遊技状態一時記憶手段１１９１と、補助遊技における現在の遊技状態を一時記憶するための補助遊技状態一時記憶手段１１９２とを有している。
【００３９】
ここで、主遊技状態一時記憶手段１１９１は、各種遊技状態における各種フラグのオンオフ情報を一時記憶するためのフラグ一時記憶手段１１９１ａと、現在変動中の主遊技図柄（変動開始条件が成立した主遊技図柄）に係る停止図柄及び変動態様情報を一時記憶するための主遊技図柄情報一時記憶手段１１９１ｂと、特別遊技に関する情報（例えば、ラウンド数、任意のラウンドにおける遊技球の入賞個数等）を一時記憶するための特別遊技関連情報一時記憶手段１１９１ｃとを有している。
【００４０】
また、補助遊技状態一時記憶手段１１９２は、補助遊技に関する情報（例えば、補助遊技当選フラグ・補助遊技変動中フラグ・開放延長フラグ・電動役物開放中フラグ・時間短縮フラグ等の各種フラグのオンオフ情報）を一時記憶するための補助遊技関連情報一時記憶手段１１９２ａと、現在変動中の補助遊技図柄（変動開始条件が成立した補助遊技図柄）に係る停止図柄等の情報を一時記憶するための補助遊技図柄情報一時記憶手段１１９２ｂとを有している。
【００４１】
次に、遊技周辺機器２０００について説明する。尚、一部の周辺機器については既に詳細構成を述べたので、残る構成について説明する。まず、遊技周辺機器２０００は、主遊技側の周辺機器である主遊技周辺機器Ａと、補助遊技に関する補助遊技周辺機器２２００とを有している。以下、これらの周辺機器を順番に説明する。
【００４２】
まず、主遊技周辺機器Ａは、特別遊技移行の契機となる主遊技始動口２１１０と、主遊技図柄の停止表示及び変動表示が可能な主遊技図柄表示装置２１３０と、通常遊技の際には閉状態にあり、特別遊技の際には所定条件下で開状態となる大入賞口２１２０を有している。
【００４３】
次に、補助遊技周辺機器２２００は、主遊技始動口２１１０の主遊技始動口電動役物２１１２の開放の契機となる補助遊技始動口２２１０と、補助遊技図柄の停止表示及び変動表示が可能な補助遊技図柄表示装置２２２０とを有している。
【００４４】
次に、サブメイン制御装置（演出表示制御手段２１５０）及びサブサブ制御装置（演出表示装置２１４０）について説明する。はじめに、主制御装置１０００は、演出に係る一切の表示制御を司る演出表示制御手段２１５０（サブメイン基板）と接続している。また、演出表示制御手段２１５０（サブメイン基板）は、装飾図柄の変動表示及び停止表示・特別遊技中の遊技進行状況を示す表示を含め、演出に係る表示を行う演出表示装置２１４０（サブサブ基板）と接続している。そして、演出表示装置２１４０（サブサブ基板）は、遊技者によって操作可能であり、演出表示装置２１４０上の表示内容を指示・選択可能な演出操作装置（いわゆるサブ入力ボタン）４０００と接続している。以下、これらの装置・手段を順番に説明する。
【００４５】
まず、演出表示制御手段２１５０は、主制御装置１０００側からの各種情報を受信するための表示情報受信手段２１５１と、主制御装置１０００側からの前記情報に基づき、演出表示装置２１４０上での演出表示制御を行う表示制御手段２１５２と、を有している。以下、上記各手段を詳述する。
【００４６】
次に、表示情報受信手段２１５１は、主制御装置１０００側からの主遊技に関する図柄情報を一時記憶するためのメイン側情報一時記憶手段２１５１ａを有している。尚、メイン側情報一時記憶手段２１５１ａに一時記憶された図柄情報は、以下で説明する各処理において、後述の各種手段により必要に応じ適宜参照される。
【００４７】
次に、表示制御手段２１５２は、演出表示装置２１４０の装図表示部２１４１上での装飾図柄の変動表示や停止表示及び図柄変動と連動して実行される演出に関する制御を司る装飾図柄表示制御手段２１５２ａと、演出表示装置２１４０の装図保留表示部２１４２上での保留情報の表示処理に関する一切の制御を司る装図保留情報表示制御手段２１５２ｂと、演出表示装置２１４０上での特別遊技中の遊技進行状況に係る表示制御を司る特別遊技中表示制御手段２１５２ｄと、演出に関連する情報を一時記憶する演出表示関連情報一時記憶手段２１５２ｅと、を有している。
【００４８】
ここで、装飾図柄表示制御手段２１５２ａは、メイン側情報一時記憶手段２１５１ａ内に一時記憶された主制御装置１０００側からの図柄情報に基づき、装飾図柄の停止図柄と変動態様を決定するための装図表示内容決定手段２１５２ａ−１と、装飾図柄の変動態様と連動して実行される演出（後述する主演出）の動作内容を決定する主演出動作内容決定手段２１５２ａ−３と、装飾図柄の変動時間を計時するための変動時間管理タイマ２１５２ａ−４と、各種予告演出の実行可否や実行内容を決定するための予告演出内容決定手段２１５２ａ−５と、予告演出発生タイミング示唆演出制御手段２１５２ａ−７と、を更に有している。
【００４９】
次に、装図表示内容決定手段２１５２ａ−１は、装飾図柄の変動態様を決定する際に参照される装図変動内容決定用抽選テーブル２１５２ａ−１−１と、装飾図柄の停止図柄を決定する際に参照される装図停止図柄決定用抽選テーブル２１５２ａ−１−２と、を有している（テーブルの詳細については不図示）。
【００５０】
次に、主演出動作内容決定手段２１５２ａ−３は、後述する主演出の動作内容を一に決定するために参照される主演出動作内容決定用抽選テーブル２１５２ａ−３−１を有している（テーブルの詳細については後述）。
【００５１】
次に、変動時間管理タイマ２１５２ａ−４は、装飾図柄の変動開始時から確定表示までの時間を計時するための装図変動時間管理タイマ２１５２ａ−４−１を有している。
【００５２】
次に、予告演出内容決定手段２１５２ａ−５は、後述する予告演出の実行内容を一に決定するために参照される予告演出内容決定用抽選テーブル２１５２ａ−５−１を有している。
【００５３】
次に、演出表示関連情報一時記憶手段２１５２ｅは、主制御装置１０００側からの保留情報を一時記憶するための装図保留情報一時記憶手段２１５２ｅ−２を有している。
【００５４】
尚、演出表示制御手段２１５０は、その他にも、遊技効果ランプ１９０の点灯及び消灯や、スピーカ１１４からの音声出力等の演出処理といった、画像表示以外の演出に係る一切の制御を更に制御する。また、本実施形態においては、演出表示制御手段２１５０が、装飾図柄、遊技ランプ及び音声の制御を一体的に行なうように構成しているが、機能的に別個の周辺機器として分離するように構成してもよい。この場合、当該周辺機器同士を基板対基板コネクタで接続するように構成してもよい。
【００５５】
尚、主遊技図柄表示装置２１３０及び補助遊技図柄表示装置２２２０が、主制御装置１０００と情報伝達可能に接続されており、残る演出表示装置（サブサブ基板）２１４０が、演出表示制御手段（サブメイン基板）２１５０と情報伝達可能に接続されている。即ち、主遊技図柄表示装置２１３０及び補助遊技図柄表示装置２２２０は、主制御装置１０００により制御され、演出表示装置２１４０は、演出表示制御手段２１５０により夫々制御されることを意味する。尚、主制御装置１０００と片方向通信により制御される他の周辺機器を介して、別の周辺機器を制御するように構成してもよい。
【００５６】
次に、図３下段を参照しながら、サブ基板（サブメイン基板である演出表示制御手段２１５０とサブサブ基板である演出表示装置２１４０）のハード構成を説明することとする。尚、ここで示すハード構成は一例に過ぎず、これに限定されるものではない。まず、演出表示制御手段２１５０（メインサブ基板）は、表示制御用ＣＰＵ２１５０ａ、読み書き可能なＲＡＭ２１５０ｂ、図柄表示制御を行うための制御プログラムやデータ等が格納された制御ＲＯＭ２１５０ｃから構成される。次に、演出表示装置２１４０（サブサブ基板）は、ＶＤＰ（ビデオ・ディスプレイ・プロセッサ）２１４０ａ、図柄データ等が格納されたキャラクタＲＯＭ２１４０ｂ、画像表示する表示データを展開するためのＶＲＡＭ２１４０ｃ、Ｄ／Ａコンバータ２１４０ｄと、画像表示が実行されるＬＣＤ表示器２１４０ｅと、を有している。ここで、表示制御用ＣＰＵ２１５０ａは、主制御装置１０００（メイン基板）側からの情報に基づき決定された装飾図柄変動に関するコマンドをＶＤＰ２１４０ａに送信する。そして、ＶＤＰ２１４０ａは、表示制御用ＣＰＵ２１５０ａからのコマンドに基づき、キャラクタＲＯＭ２１４０ｂから表示用データを読み出してＶＲＡＭ２１４０ｃ上に展開し、同期信号をＬＣＤ表示器２１４０ｅに送信すると共にＤ／Ａコンバータ２１４０ｄを通じてＲＧＢ信号をＬＣＤ表示器２１４０ｅに送信する。これにより、ＶＲＡＭ２１４０ｃに展開した表示データがＬＣＤ表示器２１４０ｅ上に表示されることになる。尚、サブメイン基板側から図柄変動開始コマンドをサブサブ基板側に送信することで図柄変動表示が開始され、サブメイン基板側から確定表示コマンドをサブサブ基板側に送信することで図柄変動が確定表示され図柄変動表示が終了する。そして、図柄変動表示開始から確定表示の間までは、サブメイン基板側からサブサブ基板側に仮停止コマンドを送信することで各装飾図柄列が仮停止するよう構成されている。
【００５７】
次に、図４〜図２１のフローチャートを参照しながら、本実施形態に係るぱちんこ遊技機の処理の流れを説明する。はじめに、図４〜図１２のフローチャートを参照しながら、本実施形態に係るぱちんこ遊技機のメイン基板側での処理の流れを説明する。まず、図４は、主制御装置１０００が行う一般的な処理の流れを示したメインフローチャートである。まず、ステップ１１００で、主制御装置１０００は、後述の補助遊技側乱数取得処理を実行する。次に、ステップ１２００で、主制御装置１０００は、後述の電動役物駆動判定処理を実行する。次に、ステップ１３００で、主制御装置１０００は、後述の主遊技側乱数取得処理を実行する。次に、ステップ１４００で、主制御装置１０００は、後述の主遊技図柄表示処理を実行する。次に、ステップ１５００で、主制御装置１０００は、後述の特別遊技作動条件判定処理を実行する。次に、ステップ１６００で、主制御装置１０００は、後述の特別遊技制御処理を実行する。次に、ステップ１７００で、主制御装置１０００（特に賞球払出決定手段１３００）は、遊技球が入賞した入賞口に基づき、賞球払出制御装置３０００を駆動して所定の賞球数の払出処理を行い、再びステップ１１００に戻る。以下、各サブルーチンに係る処理について詳述する。
【００５８】
まず、図５は、図４におけるステップ１１００のサブルーチンに係る、補助遊技側乱数取得処理のフローチャートである。まず、ステップ１１０２で、補助遊技始動口入球判定手段１１１２は、補助遊技始動口２２１０の補助遊技始動口入球検出装置２２１１から補助遊技始動口入球情報を受信したか否かを判定する。ステップ１１０２でＹｅｓの場合、ステップ１１０４で、補助遊技乱数取得判定実行手段１１２２は、補助遊技図柄保留情報一時記憶手段１１３２ａを参照し、保留球が上限（例えば４個）でないか否かを判定する。ステップ１１０４でＹｅｓの場合、ステップ１１０６で、補助遊技乱数取得判定実行手段１１２２は、補助遊技側乱数を取得する。次に、ステップ１１０８で、補助遊技図柄保留手段１１３２は、何個目の保留であるかという順番情報と共に、当該乱数を補助遊技図柄保留情報一時記憶手段１１３２ａにセットする形で保留球を１加算（乱数保留）する。そして、ステップ１１１０で、情報送信手段１２００は、補助遊技図柄保留情報一時記憶手段１１３２ａを参照し、当該乱数が何個目の保留として記憶されたのかの情報を取得すると共に、当該情報を演出表示制御手段２１５０側に送信し、次の処理（ステップ１２００の電動役物駆動判定処理）に移行する。尚、ステップ１１０２及びステップ１１０４でＮｏの場合も、次の処理（ステップ１２００の電動役物駆動判定処理）に移行する。
【００５９】
次に、図６は、図４におけるステップ１２００のサブルーチンに係る、電動役物駆動判定処理のフローチャートである。まず、ステップ１２０２で、電動役物開閉制御手段１１６０は、補助遊技関連情報一時記憶手段１１９２ａを参照して、電動役物開放中フラグがオフであるか否かを判定する。ステップ１２０２でＹｅｓの場合、ステップ１２０４で、補助遊技図柄制御手段１１５２は、補助遊技関連情報一時記憶手段１１９２ａを参照して、補助遊技図柄変動中フラグがオフであるか否かを判定する。ステップ１２０４でＹｅｓの場合、ステップ１２０６で、補助遊技内容決定手段１１４２は、補助遊技図柄保留情報一時記憶手段１１３２ａを参照し、補助遊技図柄に関する保留球があるか否かを判定する。ステップ１２０６でＹｅｓの場合、ステップ１２０８で、補助遊技内容決定手段１１４２は、当該保留球に基づく補助遊技側乱数及び補助遊技側遊技状態に基づき停止図柄を決定する。次に、ステップ１２１０で、補助遊技図柄変動時間管理手段１１５２ａは、補助遊技側遊技状態に基づき、補助遊技図柄変動管理用タイマ１１５２ａ−１に所定時間（例えば、時短遊技の場合には５秒、通常遊技の場合には３０秒）をセットする。そして、ステップ１２１２で、補助遊技図柄制御手段１１５２は、補助遊技関連情報一時記憶手段１１９２ａ内の補助遊技変動中フラグをオンにする。次に、ステップ１２１４で、補助遊技図柄保留手段１１３２は、補助遊技図柄に関する当該保留球を１減算した上で補助遊技図柄保留情報一時記憶手段１１３２ａに記録されている保留情報を更新すると共に、補助遊技図柄制御手段１１５２は、補助遊技図柄変動管理用タイマ１１５２ａ−１をスタートした後、補助遊技図柄表示部２２２１上で補助遊技図柄の変動表示を開始する。次に、ステップ１２１６で、補助遊技図柄変動時間管理手段１１５２ａは、補助遊技図柄変動管理用タイマ１１５２ａ−１を参照して、前記所定時間に到達したか否かを判定する。ステップ１２１６でＹｅｓの場合、ステップ１２１８で、補助遊技図柄制御手段１１５２は、補助遊技図柄表示部２２２１上で、前記ステップ１２０８で補助遊技内容決定手段１１４２が決定した停止図柄を確定表示する。そして、ステップ１２２０で、補助遊技図柄制御手段１１５２は、補助遊技関連情報一時記憶手段１１９２ａ内の補助遊技図柄変動中フラグをオフにする。次に、ステップ１２２２で、条件判定手段１１６１は、当該停止図柄が「当り」であるか否かを判定する。ステップ１２２２でＹｅｓの場合、ステップ１２２４で、電動役物開閉制御手段１１６０は、補助遊技側遊技状態に基づき、開放タイマ１１６２に所定時間（例えば、時短遊技の場合には５秒、通常遊技の場合には０．５秒）セットする。次に、ステップ１２２６で、電動役物開閉制御手段１１６０は、補助遊技関連情報一時記憶手段１１９２ａ内の電動役物開放中フラグをオンにする。そして、ステップ１２２８で、電動役物開閉制御手段１１６０は、主遊技始動口２１１０の主遊技始動口電動役物２１１２を開放する。次に、ステップ１２３０で、電動役物開閉制御手段１１６０は、開放タイマ１１６２を参照して、前記所定時間に到達したか否かを判定する。ステップ１２３０でＹｅｓの場合、ステップ１２３２及びステップ１２３４で、電動役物開閉制御手段１１６０は、主遊技始動口２１１０の主遊技始動口電動役物２１１２を閉鎖すると共に、補助遊技関連情報一時記憶手段１１９２ａ内の電動役物開放中フラグをオフにし、次の処理（ステップ１３００の主遊技側乱数取得処理）に移行する。
【００６０】
尚、ステップ１２０２でＮｏの場合はステップ１２３０に移行し、ステップ１２０４でＮｏの場合はステップ１２１６に移行し、ステップ１２０６、ステップ１２１６、ステップ１２２２及びステップ１２３０でＮｏの場合は次の処理（ステップ１３００の主遊技側乱数取得処理）に移行する。
【００６１】
次に、図７は、図４におけるステップ１３００のサブルーチンに係る、主遊技側乱数取得処理のフローチャートである。まず、ステップ１３０２で、主遊技始動口入球判定手段１１１１は、主遊技始動口２１１０の主遊技始動口入球検出装置２１１１から主遊技始動口入球情報を受信したか否かを判定する。ステップ１３０２でＹｅｓの場合、ステップ１３０４で、主遊技乱数取得判定実行手段１１２１は、主遊技図柄保留情報一時記憶手段１１３１ａを参照し、保留球が上限（例えば４個）でないか否かを判定する。ステップ１３０４でＹｅｓの場合、ステップ１３０６で、主遊技乱数取得判定実行手段１１２１は、主遊技側乱数（当選乱数、変動態様決定乱数、主遊技図柄決定乱数等）を取得し、主遊技図柄保留手段１１３１が、何個目の保留であるかという順番情報と共に、当該乱数を主遊技図柄保留情報一時記憶手段１１３１ａにセット（乱数保留）する。そして、ステップ１３０８で、情報送信手段１２００は、主遊技図柄保留情報一時記憶手段１１３１ａを参照し、当該乱数が何個目の保留として記憶されたのかの情報を取得すると共に、当該情報を演出表示制御手段２１５０側に送信し、次の処理（ステップ１４００の主遊技図柄表示処理）に移行する。尚、ステップ１３０２及びステップ１３０４でＮｏの場合も、次の処理（ステップ１４００の主遊技図柄表示処理）に移行する。
【００６２】
次に、図８は、図４におけるステップ１４００のサブルーチンに係る、主遊技図柄表示処理のフローチャートである。まず、ステップ１４０２で、主遊技内容決定手段１１４１は、変動開始条件が成立しているか否かを判定する。ここで、この変動開始条件は、特別遊技中や主遊技図柄変動中でないことが条件となる。
【００６３】
ステップ１４０２でＹｅｓの場合、ステップ１４０４で、主遊技内容決定手段１１４１は、主遊技図柄保留情報一時記憶手段１１３１ａに一時記憶されている、今回の図柄変動に係る主遊技側乱数を読み出す（保留消化）。次に、ステップ１４０６で、当否抽選手段１１３５は、主遊技側乱数（当選乱数）及び遊技状態に基づき、主遊技用当否抽選テーブル１１３５ｂ−１を参照し、主遊技図柄当否（大当り）抽選を実行する。そして、ステップ１４０８で、特別遊技移行決定手段１１３５ａは、抽選結果が当りか否かを判定する。ステップ１４０８でＹｅｓの場合、ステップ１４１０で、特別遊技移行決定手段１１３５ａは、フラグ一時記憶手段１１９１ａ内の当りフラグをオンにする。他方、ステップ１４０８でＮｏの場合には、ステップ１４１０をスキップする。
【００６４】
そして、ステップ１４１２及びステップ１４１３で、主遊技内容決定手段１１４１は、主遊技内容決定用抽選テーブル１１４１ａ内の各抽選テーブルを参照し、主遊技側乱数（例えば、主遊技図柄決定乱数、変動態様決定乱数）に基づいて主遊技図柄に関する停止図柄を決定すると共に、当該決定した停止図柄に基づき変動態様を決定し、これらを主遊技図柄情報一時記憶手段１１９１ｂに一時記憶する。尚、前記参照されるテーブルは、当否結果・遊技状態・主遊技図柄に基づいて決定される（以下も同様）。次に、ステップ１４１４で、情報送信手段１２００は、主遊技図柄情報一時記憶手段１１９１ｂに一時記憶された主遊技図柄に関する図柄情報（停止図柄情報、停止図柄の属性情報、変動態様情報等）を演出表示制御手段２１５０側に送信する。次に、ステップ１４１６で、主遊技図柄変動時間管理手段１１５１ａが、所定時間（主遊技図柄情報一時記憶手段１１９１ｂに一時記憶された変動態様に係る変動時間）を主遊技図柄変動管理用タイマ１１５１ａ−１にセットする。そして、ステップ１４１８で、主遊技図柄制御手段１１５１は、主遊技図柄表示装置２１３０の主遊技図柄表示部２１３１上で、主遊技図柄情報一時記憶手段１１９１ｂに記憶された変動態様に従い、主遊技図柄の変動表示を開始する。次に、ステップ１４２０で、主遊技図柄制御手段１１５１は、フラグ一時記憶手段１１９１ａ内の変動中フラグをオンする。そして、ステップ１４２２で、主遊技図柄変動時間管理手段１１５１ａが、所定時間に到達したか否かを判定する。ここで、ステップ１４２２でＮｏの場合には、次の処理（ステップ１５００の特別遊技作動条件判定処理）に移行する。他方、ステップ１４２２でＹｅｓの場合、ステップ１４２４で、情報送信手段１２００は、所定時間に到達した旨のコマンドを演出表示制御手段２１５０側に送信する。次に、ステップ１４２６で、主遊技図柄制御手段１１５１は、主遊技図柄表示装置２１３０の主遊技図柄表示部２１３１上での主遊技図柄の変動表示を停止し、主遊技図柄情報一時記憶手段１１９１ｂに記憶されている停止図柄を確定停止図柄として表示制御する。次に、ステップ１４２８で、主遊技図柄制御手段１１５１は、フラグ一時記憶手段１１９１ａ内の変動中フラグをオフにする。そして、ステップ１４３０で、主遊技図柄変動時間管理手段１１５１ａは、主遊技図柄変動管理用タイマ１１５１ａ−１をリセットする。次に、ステップ１４５０で、主制御装置１０００は、後述の特定遊技終了判定処理を実行し、次の処理（ステップ１５００の特別遊技作動条件判定処理）に移行する。
【００６５】
尚、ステップ１４０２でＮｏの場合には、ステップ１４３２で、主遊技図柄制御手段１１５１は、フラグ一時記憶手段１１９１ａを参照し、変動中フラグがオンであるか否かを判定する。ステップ１４３２でＹｅｓの場合にはステップ１４２２に移行し、ステップ１４３２でＮｏの場合には、次の処理（ステップ１５００の特別遊技作動条件判定処理）に移行する。
【００６６】
次に、図９は、図８におけるステップ１４５０のサブルーチンに係る、特定遊技終了判定処理のフローチャートである。まず、ステップ１４５２で、特定遊技制御手段１１８０は、時短回数カウンタ１１８１ａを参照して、時短回数カウンタ値が０よりも大きいか否かを判定する。ステップ１４５２でＹｅｓの場合、ステップ１４５４で、特定遊技制御手段１１８０は、時短回数カウンタ１１８１ａの時短回数カウンタ値を１減算する。次に、ステップ１４５６で、特定遊技制御手段１１８０は、時短回数カウンタ１１８１ａを参照して、時短回数が０であるか否かを判定する。ステップ１４５６でＹｅｓの場合、ステップ１４５８で、特定遊技制御手段１１８０は、補助遊技関連情報一時記憶手段１１９２ａ内の時間短縮フラグをオフにし、次の処理（ステップ１５００の特別遊技作動条件判定処理）に移行する。尚、ステップ１４５２及びステップ１４５６でＮｏの場合にも、次の処理（ステップ１５００の特別遊技作動条件判定処理）に移行する。
【００６７】
次に、図１０は、図４におけるステップ１５００のサブルーチンに係る、特別遊技作動条件判定処理のフローチャートである。まず、ステップ１５０２で、条件判定手段１１７１は、フラグ一時記憶手段１１９１ａを参照し、当りフラグがオンであるか否かを判定する。ステップ１５０２でＹｅｓの場合、ステップ１５０４で、条件判定手段１１７１は、主遊技図柄表示装置２１３０の主遊技図柄表示部２１３１上に表示された主遊技図柄が所定の大当り図柄（所定態様）で停止したか否かを判定する。ステップ１５０４でＹｅｓの場合、ステップ１５０６で、特別遊技内容決定手段１１７２は、当該所定態様に基づき、特別遊技内容参照テーブル１１７２ａを参照することにより、当該特別遊技の内容を特別遊技関連情報一時記憶手段１１９１ｃにセットする。次に、ステップ１５１０及びステップ１５１２で、特定遊技制御手段１１８０は、特定遊技フラグ（フラグ一時記憶手段１１９１ａ内の確率変動フラグ及び補助遊技関連情報一時記憶手段１１９２内の時間短縮フラグ）を一旦オフにすると共に、時短回数カウンタ１１８１ａをリセット（時短回数カウンタ値＝０）する。そして、ステップ１５１４及びステップ１５１６で、条件判定手段１１７１は、フラグ一時記憶手段１１９１ａ内の特別遊技移行許可フラグをオンにすると共に当りフラグをオフにし、次の処理（ステップ１６００の特別遊技制御処理）に移行する。尚、ステップ１５０２及びステップ１５０４でＮｏの場合には、次の処理（ステップ１６００の特別遊技制御処理）に移行する。
【００６８】
次に、図１１は、図４におけるステップ１６００のサブルーチンに係る、特別遊技制御処理のフローチャートである。まず、ステップ１６０２で、特別遊技実行手段１１７３は、フラグ一時記憶手段１１９１ａを参照し、特別遊技移行許可フラグがオンであるか否かを判定する。ステップ１６０２でＹｅｓの場合、ステップ１６０４及びステップ１６０６で、特別遊技実行手段１１７３は、フラグ一時記憶手段１１９１ａ内の特別遊技移行許可フラグをオフにすると共に特別遊技実行フラグをオンにする。次に、ステップ１６０８で、情報送信手段１２００は、演出表示制御手段２１５０側に特別遊技開始信号を送信し、ステップ１６１２に移行する。他方、ステップ１６０２でＮｏの場合、ステップ１６１０で、特別遊技実行手段１１７３は、フラグ一時記憶手段１１９１ａを参照し、特別遊技実行フラグがオンであるか否かを判定する。そして、ステップ１６１０でＹｅｓの場合には、ステップ１６１２に移行する。尚、ステップ１６１０でＮｏの場合には、特別遊技実行手段１１７３は、特別遊技の許可が下りていないと判定し、次の処理（ステップ１７００の賞球払出処理）に移行する。
【００６９】
次に、ステップ１６１２で、特別遊技実行手段１１７３は、フラグ一時記憶手段１１９１ａを参照し、ラウンド継続フラグがオンであるか否か、換言すれば、当該ラウンドが途中であるか否かを判定する。ステップ１６１２でＹｅｓの場合、即ち、当該ラウンドが途中である場合、以下で詳述するステップ１６１４〜１６２２の処理を行うことなく、ステップ１６２４に移行する。他方、ステップ１６１２でＮｏの場合、即ち、当該ラウンドの開始直前である場合、まず、ステップ１６１４で、特別遊技実行手段１１７３は、特別遊技関連情報一時記憶手段１１９１ｃにセットした開放パターン（例えば、開放し続ける開放パターン、開閉を行うパターン）をセットする。次に、ステップ１６１６で、特別遊技実行手段１１７３は、特別遊技関連情報一時記憶手段１１９１ｃ内の入賞球カウンタをゼロクリアする。次に、ステップ１６１８で、特別遊技実行手段１１７３は、特別遊技関連情報一時記憶手段１１９１ｃ内のラウンド数カウンタに１を加算する。尚、特別遊技関連情報一時記憶手段１１９１ｃに記憶されているラウンド数は、特別遊技開始直後（初期値）は０であり、以後ラウンドを重ねていく毎に１ずつインクリメントされる。次に、ステップ１６２０で、特別遊技実行手段１１７３は、フラグ一時記憶手段１１９１ａ内のラウンド継続フラグをオンにする。そして、ステップ１６２２で、特別遊技実行手段１１７３は、大入賞口２１２０の大入賞口電動役物２１２２を駆動して大入賞口２１２０を開放し、ステップ１６２４に移行する。
【００７０】
次に、ステップ１６２４で、情報送信手段１２００は、演出表示制御手段２１５０側に現在の遊技状態情報（例えば、現在のラウンド数や遊技球の入賞個数等）を送信する。そして、ステップ１６２６で、特別遊技実行手段１１７３は、特別遊技関連情報一時記憶手段１１９１ｃを参照して当該ラウンドで所定球（例えば１０球）の入賞球があったか否かを判定する。ステップ１６２６でＹｅｓの場合には、ステップ１６３０に移行する。他方、ステップ１６２６でＮｏの場合、ステップ１６２８で、特別遊技実行手段１１７３は、特別遊技用タイマ１１７４ａ（特に開放時間タイマ）を参照して所定時間が経過したか否かを判定する。ステップ１６２６でＹｅｓの場合にも、ステップ１６３０に移行し、Ｎｏの場合には、次の処理（ステップ１７００の賞球払出処理）に移行する。
【００７１】
次に、ステップ１６３０で、特別遊技実行手段１１７３は、大入賞口２１２０の大入賞口電動役物２１２２の駆動を停止して大入賞口２１２０を閉鎖する。そして、ステップ１６３２で、特別遊技実行手段１１７３は、特別遊技用タイマ１１７４ａ（特に開放時間タイマ）をリセットする。次に、ステップ１６３４で、特別遊技実行手段１１７３は、フラグ一時記憶手段１１９１ａ内のラウンド継続フラグをオフにする。次に、ステップ１６３６で、特別遊技実行手段１１７３は、特別遊技関連情報一時記憶手段１１９１ｃを参照して、当該ラウンドが最終ラウンド（例えば、大当りの場合は１５ラウンド、小当りの場合は１ラウンド等）であるか否かを判定する。ステップ１６３６でＹｅｓの場合、ステップ１６３８で、特別遊技実行手段１１７３は、フラグ一時記憶手段１１９１ａ内の特別遊技実行フラグをオフにする。次に、ステップ１６４０で、情報送信手段１２００は、演出表示制御手段２１５０側に特別遊技終了信号を送信する。そして、ステップ１６５０で、遊技制御手段１１００は、後述の特別遊技終了後の遊技状態決定処理を実行し、次の処理（ステップ１７００の賞球払出処理）に移行する。尚、ステップ１６３６でＮｏの場合にも、次の処理（ステップ１７００の賞球払出処理）に移行する。
【００７２】
次に、図１２は、図１１におけるステップ１６５０のサブルーチンに係る、特別遊技終了後の遊技状態決定処理のフローチャートである。まず、ステップ１６５２で、特定遊技制御手段１１８０は、主遊技図柄情報一時記憶手段１１９１ｂを参照し、今回の特別遊技が確率変動大当りであるか否かを判定する。ステップ１６５２でＹｅｓの場合、ステップ１６５４及びステップ１６５６で、特定遊技制御手段１１８０は、フラグ一時記憶手段１１９１ａ内の確率変動フラグ及び補助遊技関連情報一時記憶手段１１９２ａ内の時間短縮フラグを夫々オンにする。次に、ステップ１６５７で、特定遊技制御手段１１８０は、時短回数カウンタ１１８１ａに、許容されるカウンタ値の最大値（例えば、６５５３５）をセットし、次の処理（ステップ１７００の賞球払出処理）に移行する。
【００７３】
他方、ステップ１６５２でＮｏの場合、ステップ１６５８で、特定遊技制御手段１１８０は、主遊技図柄情報一時記憶手段１１９１ｂを参照し、今回の特別遊技が非確率変動大当り（時間短縮大当り）であるか否かを判定する。ステップ１６５８でＹｅｓの場合、ステップ１６６０及びステップ１６６２で、特定遊技制御手段１１８０は、補助遊技関連情報一時記憶手段１１９２ａ内の時間短縮フラグをオンにすると共に、時短回数カウンタ１１８１ａに時短回数カウンタ値として所定値（例えば１００）をセットし、次の処理（ステップ１７００の賞球払出処理１７００）に移行する。尚、ステップ１６５８でＮｏの場合、即ち、今回の特別遊技が非確率変動大当り（非時間短縮大当り）である場合にも、次の処理（ステップ１７００の賞球払出処理）に移行する。
【００７４】
次に、図１３〜図２２のフローチャートを参照しながら、本実施形態に係るぱちんこ遊技機のサブメイン基板（演出表示制御手段２１５０）側での処理の流れを説明する。まず、図１３は、演出表示制御手段２１５０が行う一般的な処理の流れを示したメインフローチャート２０００である。まず、ステップ２１００で、演出表示制御手段２１５０は、後述する保留情報管理処理を実行する。次に、ステップ２２００で、演出表示制御手段２１５０は、後述する装飾図柄表示内容決定処理を実行する。次に、ステップ２３００で、演出表示制御手段２１５０は、後述する装飾図柄表示制御処理を実行する。次に、ステップ２４００で、演出表示制御手段２１５０は、後述する特別遊技中表示制御処理を実行し、ステップ２１００に戻る処理を繰り返す。以下、各サブルーチンに係る処理について詳述する。
【００７５】
次に、図１４は、図１３でのステップ２１００のサブルーチンに係る、サブ（サブメイン基板）側で実行する保留情報管理処理のフローチャートである。まず、ステップ２１０２で、装図保留情報表示制御手段２１５２ｂは、メイン側情報一時記憶手段２１５１ａを参照し、主制御装置１０００側から保留情報を受信したか否かを判定する。ステップ２１０２でＹｅｓの場合、ステップ２１０４で、装図保留情報表示制御手段２１５２ｂは、装図保留情報一時記憶手段２１５２ｅ−２内の装図保留カウンタ値に「１」を加算すると共に、当該受信した保留情報（本例では、主遊技側乱数）を装図保留情報一時記憶手段２１５２ｅ−２内に一時記憶し、ステップ２１２０に移行する。他方、ステップ２１０２でＮｏの場合、ステップ２１０６で、装図保留情報表示制御手段２１５２ｂは、メイン側情報一時記憶手段２１５１ａを参照し、主制御装置１０００側から新たな図柄情報を受信したか否かを判定する。ステップ２１０６でＹｅｓの場合、ステップ２１０８で、装図保留情報表示制御手段２１５２ｂは、装図保留情報一時記憶手段２１５２ｅ−２内の装図保留カウンタ値から「１」を減算すると共に、当該受信した新たな図柄情報に対応して一時記憶されている保留情報を、装図保留情報一時記憶手段２１５２ｅ−２内から削除し残りの保留情報をシフトする（結果として保留消化がなされる）。次に、ステップ２１１０で、装図保留情報表示制御手段２１５２ｂは、演出表示関連情報一時記憶手段２１５２ｅのフラグエリア内の図柄内容決定許可フラグをオンにし、ステップ２１２０に移行する。そして、ステップ２１２０で、装図保留情報表示制御手段２１５２ｂは、装図保留情報一時記憶手段２１５２ｅ−２内の装図保留カウンタ値と同数の保留表示を、装図保留表示部２１４２上にて行い、次の処理（ステップ２２００の装飾図柄表示内容決定処理）に移行する。尚、ステップ２１０６でＮｏの場合にも、次の処理（ステップ２２００の装飾図柄表示内容決定処理）に移行する。
【００７６】
次に、図１５は、図１３でのステップ２２００のサブルーチンに係る、サブ（サブメイン基板）側で実行する装飾図柄表示内容決定処理のフローチャートである。まず、ステップ２２０２で、装図表示内容決定手段２１５２ａ−１は、演出表示関連情報一時記憶手段２１５２ｅ内の図柄内容決定許可フラグがオンであるか否かを判定する。ステップ２２０２でＹｅｓの場合、ステップ２２０４で、装図表示内容決定手段２１５２ａ−１は、演出表示関連情報一時記憶手段２１５２ｅ内の図柄内容決定許可フラグをオフにする。次に、ステップ２２０５で、装図表示内容決定手段２１５２ａ−１は、メイン側情報一時記憶手段２１５１ａ内に一時記憶された主制御装置１０００側からの図柄情報（特に、主遊技図柄の停止図柄情報）に基づき、装図停止図柄決定用抽選テーブル２１５２ａ−１−２を参照して、装飾図柄の停止図柄を決定すると共に、当該決定した内容を演出表示関連情報一時記憶手段２１５２ｅに一時記憶する。次に、ステップ２２０８で、装図表示内容決定手段２１５２ａ−１は、メイン側情報一時記憶手段２１５１ａ内に一時記憶された主制御装置１０００側からの図柄情報（特に、主遊技図柄の変動態様情報）及び演出表示関連情報一時記憶手段２１５２ｅに一時記憶された装飾図柄の停止図柄に基づき、装図変動内容決定用抽選テーブル２１５２ａ−１−１を参照して、装飾図柄の変動態様（例えば、非リーチ、ノーマルリーチ、スーパーリーチといったリーチ種別等）を決定すると共に、当該決定した内容を演出表示関連情報一時記憶手段２１５２ｅに一時記憶する。次に、ステップ２２１０で、主演出動作内容決定手段２１５２ａ−３は、演出表示関連情報一時記憶手段２１５２ｅに一時記憶された装飾図柄の変動態様に基づき、主演出動作内容決定用抽選テーブル２１５２ａ−３−１を参照し、装飾図柄の変動態様に基づき実行される演出内容であって、主に装飾図柄の変動表示及び停止表示やリーチ画像に係る演出内容（以下、主演出や主演出内容と呼ぶことがある）を決定すると共に、当該決定した主演出内容に基づき、「表示更新タイミング」と「表示更新内容」とを導出して演出表示関連情報一時記憶手段２１５２ｅに一時記憶する。
【００７７】
ここで、図１６（主演出テーブル１）は、主演出動作内容決定用抽選テーブル２１５２ａ−３−１の一例である。本例に示されるように、本実施形態においては、主遊技図柄の当否結果（左端列にて図示されており、本例では、「ハズレ」又は「大当り」）及び装飾図柄の変動態様（左２列目にて図示されており、本例では「スーパーリーチ（総演出時間６０秒）」の場合のみ例示）と取得乱数値（サブメイン基板側で取得した乱数値であって、左３列目にて図示）とに基づき、主演出内容（左４列目にて図示されており、本例では、「主演出Ａ−１（ハズレ）」や「主演出Ａ−１（大当り）」等）を決定可能に構成されている。そして、主演出内容が決定された場合には、「表示更新タイミング」と「表示更新内容」とを一義的に決定可能に構成されている。例えば、主演出内容＝「主演出Ａ−１（ハズレ）」であった場合には、「表示更新タイミング」＝「変動開始時（０秒後）」において「表示更新内容」＝「装図変動開始（全列）」と決定され、「表示更新タイミング」＝「変動開始２５秒後」において「表示更新内容」＝「リーチ画像表示１（ハズレ）」と決定される。そして、後述するように、装飾図柄の変動時間に係る経過時間に応じて、「表示更新タイミング」に到達した「表示更新内容」が順次実行されることとなる。
【００７８】
フローチャートの説明に戻ると、次に、ステップ２２３０で、予告演出内容決定手段２１５２ａ−５は、後述する予告演出内容決定処理を実行する。次に、ステップ２２２０で、装図表示内容決定手段２１５２ａ−１は、演出表示関連情報一時記憶手段２１５２ｅ内の図柄内容決定フラグをオンにし、次の処理（ステップ２３００の装飾図柄表示制御処理）に移行する。尚、ステップ２２０２でＮｏの場合にも、次の処理（ステップ２３００の装飾図柄表示制御処理）に移行する。
【００７９】
次に、図１７は、図１５でのステップ２２３０のサブルーチンに係る、サブ（サブメイン基板）側で実行する予告演出内容決定処理のフローチャートである。まず、ステップ２２３４で、予告演出内容決定手段２１５２ａ−５は、前述した処理にて決定された主演出内容に基づき、予告演出内容決定用抽選テーブル２１５２ａ−５−１を参照して、主演出と連動して実行される演出内容であって、主に主演出内容の大当り期待度を予告する演出内容（以下、予告演出や予告演出内容と呼ぶことがある）を決定すると共に、当該決定した予告演出内容に基づき、「表示更新タイミング」と「表示更新内容」とを導出して演出表示関連情報一時記憶手段２１５２ｅに一時記憶する。
【００８０】
ここで、図１７（予告演出テーブル１）は、予告演出内容決定用抽選テーブル２１５２ａ−５−１の一例である。本例に示されるように、本実施形態においては、主演出内容（左端列にて図示されており、本例では、「主演出Ａ−１（ハズレ）」又は「主演出Ａ−１（大当り）」の場合のみ例示）及び取得乱数値（サブメイン基板側で取得した乱数値であって、左２列目にて図示）に基づき、予告演出内容（左３列目にて図示されており、本例では、「予告演出Ｂ−１」〜「予告演出Ｂ−３」のいずれか）を決定可能に構成されている。そして、予告演出内容が決定された場合には、「表示更新タイミング」と「表示更新内容」とを一義的に決定可能に構成されている。例えば、予告演出内容＝「予告演出Ｂ−１」であった場合には、表示更新タイミング」＝「変動開始５秒後」において「表示更新内容」＝「予告画像表示１」と決定される。そして、後述するように、装飾図柄の変動時間に係る経過時間に応じて、「表示更新タイミング」に到達した「表示更新内容」が、所定条件を充足した場合において実行されることとなる。尚、本実施形態においては、主演出内容に基づき予告演出内容を決定するよう構成されているが、これには限定されず、主演出内容とは異なるファクタに基づき予告演出内容を決定するよう構成してもよい。その場合には、例えば、主遊技図柄の当否結果や図柄の属性（非確率変動大当り図柄、確率変動大当り図柄等の属性）等を当該ファクタとすることを挙げることができる（例えば、あるファクタに基づく際には、主演出内容Ａ〜Ｇのいずれかを決定し予告演出内容ａ〜ｋのいずれかを決定する一方、当該あるファクタと異なるファクタに基づく場合には、主演出内容Ａ〜Ｅのいずれかを決定し予告演出内容ａ〜ｊのいずれかを決定するよう構成する等）。このように構成した場合には、主演出内容と予告演出内容とを夫々独立したファクタに基づき決定することが可能となるため、双方の組み合わせによる演出バリエーションの増加が容易となる。
【００８１】
次に、図１８は、図１３のステップ２３００のサブルーチンに係る、サブ（サブメイン基板）側で実行する装飾図柄表示制御処理のフローチャートである。まず、ステップ２３０２で、装飾図柄表示制御手段２１５２ａは、演出表示関連情報一時記憶手段２１５２ｅ内の図柄内容決定フラグがオンであるか否かを判定する。ステップ２３０２でＹｅｓの場合、ステップ２３０４で、装飾図柄表示制御手段２１５２ａは、演出表示関連情報一時記憶手段２１５２ｅ内の図柄内容決定フラグをオフにする。次に、ステップ２３０６で、装飾図柄表示制御手段２１５２ａは、演出表示関連情報一時記憶手段２１５２ｅ内の図柄変動中フラグをオンにする。次に、ステップ２３０９で、装飾図柄表示制御手段２１５２ａは、装図変動時間管理タイマ２１５２ａ−４−１をスタートし、ステップ２３１０に移行する。尚、ステップ２３０２でＮｏの場合にも、ステップ２３１０に移行する。
【００８２】
次に、ステップ２３１０で、装飾図柄表示制御手段２１５２ａは、演出表示関連情報一時記憶手段２１５２ｅ内の図柄変動中フラグがオンであるか否かを判定する。ステップ２３１０でＹｅｓの場合、ステップ２３２０で、装飾図柄表示制御手段２１５２ａは、後述する表示更新処理を実行する。次に、ステップ２３１２で、装飾図柄表示制御手段２１５２ａは、主遊技図柄が停止表示されたか否かを判定する（例えば、メイン側情報一時記憶手段２１５１ａを参照し、主制御装置１０００側から主遊技図柄が停止表示される旨の情報を受信したか否かを判定する）。ステップ２３１２でＹｅｓの場合、ステップ２３１４で、装飾図柄表示制御手段２１５２ａは、装図変動時間管理タイマ２１５２ａ−４−１を停止すると共にリセット（ゼロクリア）する。次に、ステップ２３１８で、装飾図柄表示制御手段２１５２ａは、演出表示関連情報一時記憶手段２１５２ｅ内の図柄変動中フラグをオフにし、次の処理（ステップ２４００の特別遊技中表示制御処理）に移行する。尚、ステップ２３１０又はステップ２３１２でＮｏの場合にも、次の処理（ステップ２４００の特別遊技中表示制御処理）に移行する。
【００８３】
次に、図１９は、図１８のステップ２３２０のサブルーチンに係る、サブ（サブメイン基板）側で実行する表示更新処理のフローチャートである。まず、ステップ２３２２で、装飾図柄表示制御手段２１５２ａは、装図変動時間管理タイマ２１５２ａ−４−１のタイマ値及び演出表示関連情報一時記憶手段２１５２ｅに一時記憶された各種演出内容の「表示更新タイミング」を確認する。次に、ステップ２３２４で、装飾図柄表示制御手段２１５２ａは、当該確認結果に基づき、主演出内容に係る表示更新タイミングに到達したか否かを判定する。ステップ２３２４でＹｅｓの場合、ステップ２３２６で、装飾図柄表示制御手段２１５２ａは、当該表示更新タイミングに到達した「表示更新内容」に基づき、サブサブ制御装置２１４０を駆使して所定の画像表示処理を実行し（装図表示部２１４１上にて、装図変動表示、装図仮停止表示、装図確定表示、リーチ画像表示等を行い）、ステップ２５００の処理に移行する。他方、ステップ２３２４でＮｏの場合、ステップ２３２８で、装飾図柄表示制御手段２１５２ａは、当該確認結果に基づき、予告演出内容に係る表示更新タイミングに到達したか否かを判定する。ステップ２３２８でＹｅｓの場合、ステップ２３３０で、装飾図柄表示制御手段２１５２ａは、当該表示更新タイミングに到達した表示更新内容に基づき、サブサブ制御装置２１４０を駆使して予告画像表示を実行し、ステップ２５００に移行する。尚、ステップ２３２８でＮｏの場合にも、ステップ２５００に移行する。次に、ステップ２５００で、装飾図柄表示制御手段２１５２ａは、後述する予告演出発生タイミング示唆演出表示処理を実行し、本サブルーチンの呼び出し元に復帰する。
【００８４】
次に、図２０は、図１９のステップ２５００のサブルーチンに係る、サブ（サブメイン基板）側で実行する予告演出発生タイミング示唆演出表示処理のフローチャートである。まず、ステップ２５０２で、予告演出発生タイミング示唆演出制御手段２１５２ａ−７は、装図変動時間管理タイマ２１５２ａ−４−１のタイマ値及び演出表示関連情報一時記憶手段２１５２ｅを参照し、予告演出内容に係る表示更新タイミングＴα（本例では、変動開始タイミングから４０秒後）より前の所定タイミングＴβ（変動開始タイミングから０≦Ｔβ＜Ｔαとなる値であり、例えば、１０秒後）に到達したか否かを判定する。ステップ２５０２でＹｅｓの場合、ステップ２５０４で、予告演出発生タイミング示唆演出制御手段２１５２ａ−７は、Ｔα−Ｔβ（予告演出内容に係る表示更新タイミングまでの時間）を算出し、予告演出発生タイミング示唆タイマ２１５２ａ−７−１（以下、減算タイマＴと呼ぶことがある）にセットし、カウントダウンを開始する。次に、ステップ２５０６で、予告演出発生タイミング示唆演出制御手段２１５２ａ−７は、減算タイマＴの値に基づき、所定期間内に何らかの予告画像が表示される可能性がある旨を報知する演出（以下、第一示唆演出と呼ぶことがある）を表示する。ここで、第一示唆演出としては、例えば、Ｔα＝４０秒、Ｔβ＝１０秒の場合には、「３０秒以内に予告画像が表示される！？」等の予告画像が表示される可能性がある範囲期間を表示することを挙げることができる。尚、このように、範囲期間を表示するに際しては、「〜秒以内」の部分は適宜（例えば、５秒間隔）カウントダウン表示してもよいが、あくまでも、予告画像が表示され得るタイミングが不明確となるよう表示しておくことが望ましい。次に、ステップ２５０８で、予告演出発生タイミング示唆演出制御手段２１５２ａ−７は、演出表示関連情報一時記憶手段２１５２ｅのフラグエリア内にある入力有効期間フラグをオンにし、本サブルーチンの呼び出し元に復帰する。
【００８５】
他方、ステップ２５０２でＮｏの場合、ステップ２５１０で、予告演出発生タイミング示唆演出制御手段２１５２ａ−７は、演出表示関連情報一時記憶手段２１５２ｅのフラグエリアを参照し、入力有効期間フラグがオンであるか否かを判定する。ステップ２５１０でＹｅｓの場合、ステップ２５１２で、予告演出発生タイミング示唆演出制御手段２１５２ａ−７は、予告演出発生タイミング示唆タイマ２１５２ａ−７−１を参照し、減算タイマＴの値が０より大きいか否かを判定する。ステップ２５１２でＹｅｓの場合、ステップ２５１４で、予告演出発生タイミング示唆演出制御手段２１５２ａ−７は、演出操作装置（サブ入力ボタン）４０００の操作があったか否かを判定する。ステップ２５１４でＹｅｓの場合、ステップ２５１６で、予告演出発生タイミング示唆演出制御手段２１５２ａ−７は、演出表示関連情報一時記憶手段２１５２ｅのフラグエリア内にある示唆演出内容明確化フラグをオンにし、ステップ２５１８に移行する。他方、ステップ２５１４でＮｏの場合、ステップ２５１６をスキップし、ステップ２５１８に移行する。次に、ステップ２５１８で、予告演出発生タイミング示唆演出制御手段２１５２ａ−７は、演出表示関連情報一時記憶手段２１５２ｅのフラグエリアを参照し、示唆演出内容明確化フラグがオンであるか否かを判定する。ステップ２５１８でＹｅｓの場合、ステップ２５２０で、予告演出発生タイミング示唆演出制御手段２１５２ａ−７は、予告演出発生タイミング示唆タイマ２１５２ａ−７−１を参照し、減算タイマＴの値を残り時間として再取得して、当該残り時間経過後にて何らかの予告画像が表示される可能性がある旨を報知する示唆演出（以下、第二示唆演出と呼ぶことがある）を表示し、本サブルーチンの呼び出し元に復帰する。ここで、第二示唆演出としては、第一示唆演出とは異なる表示であって、例えば、「１８秒後に予告画像が表示される！？」等の予告画像が表示される可能性があるタイミングを明確に報知することを挙げることができる。尚、このように、タイミングを明確に報知することを目的としているが故、本処理が実行される度に、減算タイマＴの値を残り時間として再取得するよう構成されていることを補足しておく。また、明確な報知を趣旨とするのであれば、第二示唆演出として、予告画像の分類（例えば、セリフ予告演出、カットイン予告演出等のいわゆる演出系統）や属性（例えば、赤色やキリン柄等）をも報知するよう構成してもよい。更には、例えば、「１８秒後に予告画像が表示される！？・・・表示された属性がキリン柄であれば大当り確定！」或いは「１８秒後に予告画像が表示される！？・・・表示された属性が赤色であればチャンス！」というように、予告画像の機能的な役割（特に前者は、いわゆるミッション演出の機能を果たす）を報知するよう構成してもよい。
【００８６】
他方、ステップ２５１２でＮｏの場合、ステップ２５２２で、予告演出発生タイミング示唆演出制御手段２１５２ａ−７は、演出表示関連情報一時記憶手段２１５２ｅのフラグエリア内にある示唆演出内容明確化フラグをオフにする。次に、ステップ２５２４で、予告演出発生タイミング示唆演出制御手段２１５２ａ−７は、前記ステップ２５０６及び（又は）ステップ２５２０における表示内容を消去する。次に、ステップ２５２６で、予告演出発生タイミング示唆演出制御手段２１５２ａ−７は、演出表示関連情報一時記憶手段２１５２ｅのフラグエリア内にある入力有効期間フラグをオフにし、本サブルーチンの呼び出し元に復帰する。尚、ステップ２５１０でＮｏの場合にも、本サブルーチンの呼び出し元に復帰する。
【００８７】
尚、本構成はあくまで一例であり、このような構成に限定されるものではない。例えば、前記ステップ２５０６における第一示唆演出で表示する値は、減算タイマＴの値そのものではなく、「Ｔ値よりも小さな値」又は「Ｔ値よりも大きな値」であってもよい。このように構成することで、第一示唆演出で「Ｔ値よりも小さな値」が表示された場合、前記ステップ２５２０においては、時間値の加算表示が行われ得る（例えば、第一示唆演出「１０秒以内に予告画像が表示される！？」の表示後、サブボタン入力により第二示唆演出が「３０秒後（＋２０秒）に予告画像が表示される！？」に変わる等）。また、より実用的な例示としては、例えば、第一示唆演出で「あと１０秒後にスーパーリーチに発展？」といった曖昧な表示がなされた後、サブボタン入力により第二示唆演出として「あと３０秒後にスーパーリーチに発展！」といった表示に変わる、或いは、「あと１０秒後に擬似連！それを経由して３０秒後にスーパーリーチに発展！」といった明確な表示に変わる等を挙げることができる。他方、第一示唆演出で「Ｔ値よりも大きな値」を表示する場合、前記ステップ２５２０においては、時間値の減算表示が行われ得る（例えば、第一示唆演出「４０秒以内に予告画像が表示される！？」の表示後、サブボタン入力により第二示唆演出が「３０秒後（−１０秒）に予告画像が表示される！？」に変わる等）。また、より実用的な例示としては、例えば、第一示唆演出で「あと３０秒後にスーパーリーチに発展？」といった曖昧な表示がなされた後、サブボタン入力により第二示唆演出として当該３０秒経過前に「あと０秒！」といった表示に変わることで、突然当り表示（表現）や突然スーパーリーチ発展表示（表現）を実行するよう構成することを挙げることができる。尚、更なる別の構成としては、第一示唆演出の表示時点で決定されていた主演出内容や予告演出内容を、第二示唆演出の表示時点で異なる内容へと変更するよう構成してもよい。より具体的には、前述したような、第一示唆演出で「あと１０秒後にスーパーリーチに発展？」といった曖昧な表示がなされた後、サブボタン入力により第二示唆演出として「あと１０秒後に擬似連！それを経由して３０秒後にスーパーリーチに発展！」といった明確な表示に変わるよう構成する場合、第一示唆演出の表示時点では、主演出内容としてスーパーリーチに係る表示内容を実行予定として決定している一方、第二示唆演出の表示時点で（換言すれば、サブボタン入力を契機として）主演出内容として擬似連続変動＋スーパーリーチ（但し、擬似連続変動分の演出尺が短縮されたもの）に係る表示内容を実行予定として再決定するよう構成するのである。このように構成することで、第二示唆演出として表現可能な内容のバリエーションが増加するため、演出の興趣性を向上させることができることとなる。
【００８８】
次に、図２１は、図１３でのステップ２４００のサブルーチンに係る、特別遊技中表示制御処理のフローチャートである。まず、ステップ２４０２で、特別遊技中表示制御手段２１５２ｄは、演出表示関連情報一時記憶手段２１５２ｅ内の特別遊技中フラグがオフであるか否かを判定する。ステップ２４０２でＹｅｓの場合、ステップ２４０４で、特別遊技中表示制御手段２１５２ｄは、メイン側情報一時記憶手段２１５１ａを参照し、主制御装置１０００側から特別遊技開始信号を受信したか否かを判定する。ステップ２４０４でＹｅｓの場合、ステップ２４０６で、特別遊技中表示制御手段２１５２ｄは、演出表示関連情報一時記憶手段２１５２ｅ内の特別遊技中フラグをオンにする。そして、ステップ２４０８で、特別遊技中表示制御手段２１５２ｄは、演出表示装置２１４０を駆使して、大当り開始表示を実行しステップ２４２２に移行する。
【００８９】
次に、ステップ２４２２で、特別遊技中表示制御手段２１５２ｄは、演出表示装置２１４０を駆使して、主制御装置１０００側から逐次送信されている遊技情報に基づき、ラウンド数と入賞個数に係る情報を表示する。次に、ステップ２４３０で、特別遊技中表示制御手段２１５２ｄは、メイン側情報一時記憶手段２１５１ａを参照し、主制御装置１０００側から特別遊技終了信号を受信したか否かを判定する。ステップ２４３０でＹｅｓの場合、ステップ２４３２で、特別遊技中表示制御手段２１５２ｄは、演出表示装置２１４０を駆使して、大当り終了表示を実行する。そして、ステップ２４３６で、特別遊技中表示制御手段２１５２ｄは、演出表示関連情報一時記憶手段２１５２ｅ内の特別遊技中フラグをオフにし、次の処理（ステップ２１００の保留情報管理処理）に移行する。尚、ステップ２４０４又はステップ２４３０でＮｏの場合にも、次の処理（ステップ２１００の保留情報管理処理）に移行する。
【００９０】
＜まとめ＞
以上のように構成することで、本実施形態によれば、図柄変動と連動して実行される主演出実行中の所定のタイミングにて、予告演出等が発生し得るよう構成された遊技機において、予告演出（例えば、カットイン演出等）が発生し得るタイミング（換言すれば、予告演出が発生し得るまでの残り時間に基づいて決定された情報）を遊技者に対して示唆する（本例では、第一示唆演出を表示する）と共に、第一示唆演出の表示中においてサブ入力ボタンの操作があった際には、第一示唆演出よりも予告演出が発生し得るタイミングを明確に報知する（本例では、第二示唆演出を表示する）よう構成されているため、遊技者にとっては演出の流れがより明確となり得る結果、遊技（演出）の興趣性を向上させることが可能となるのである。
【００９１】
尚、本実施形態においては、予告演出が発生し得るタイミングを示唆（又は明確に報知）するよう構成されているが、演出の分岐点となるタイミングを対象として構成されていれば、これに限定されるものではない。その場合には、例えば、装飾図柄の仮停止タイミングや主演出実行内容の分岐点（例えば、バトル演出において最終的に敵キャラクタに勝利するか否かを煽るタイミング）、或いは、いわゆる擬似連続変動態様における各擬似変動が終了し得るまでの残り時間等を示唆（又は明確に報知）することを挙げることができる。また、本実施形態においては、一の主演出実行中にて一の予告演出が実行されることが前提となっているが、一の主演出実行中にて複数の予告演出が実行されることを前提とすることも可能であり、このような構成とすることで、本実施形態とは異なる態様を概念することができる。そこで、このような構成の一例を、第二実施形態とし、以下、本実施形態からの変更点についてのみ詳述する。
【００９２】
（第二実施形態）
まず、図２２は、第二実施形態に係るぱちんこ遊技機における、図１７のステップ２２３０のサブルーチンに係る、サブ（サブメイン基板）側で実行する予告演出内容決定処理のフローチャートである。まず、ステップ２２３４（第２）で、予告演出内容決定手段２１５２ａ−５は、装飾図柄の変動開始時にて決定された主演出内容に基づき、予告演出内容決定用抽選テーブル２１５２ａ−５−１（特に、予告演出内容１決定用抽選テーブル）を参照して、図柄変動開始直後に表示され、主に主演出内容の大当り期待度を予告する演出内容１（以下、予告演出１や予告演出内容１と呼ぶことがある）を決定すると共に、当該決定した予告演出内容１に基づき、「表示更新タイミング」と「表示更新内容」とを導出して演出表示関連情報一時記憶手段２１５２ｅに一時記憶する。次に、ステップ２２３６（第２）で、予告演出内容決定手段２１５２ａ−５は、装飾図柄の変動開始時にて決定された主演出内容に基づき、予告演出内容決定用抽選テーブル２１５２ａ−５−１（特に、予告演出内容２決定用抽選テーブル）を参照して、リーチ発生直後に表示され、主に主演出内容の大当り期待度を予告する演出内容２（以下、予告演出２や予告演出内容２と呼ぶことがある）を決定すると共に、当該決定した予告演出内容２に基づき、「表示更新タイミング」と「表示更新内容」とを導出して演出表示関連情報一時記憶手段２１５２ｅに一時記憶する。次に、ステップ２２３８（第２）で、予告演出内容決定手段２１５２ａ−５は、装飾図柄の変動開始時にて決定された主演出内容に基づき、予告演出内容決定用抽選テーブル２１５２ａ−５−１（特に、予告演出内容２決定用抽選テーブル）を参照して、リーチ中に表示され、主に主演出内容の大当り期待度を予告する演出内容３（以下、予告演出３や予告演出内容３と呼ぶことがある）を決定すると共に、当該決定した予告演出内容３に基づき、「表示更新タイミング」と「表示更新内容」とを導出して演出表示関連情報一時記憶手段２１５２ｅに一時記憶し、本サブルーチンの呼び出し元に復帰する。
【００９３】
ここで、図２２（予告演出テーブル１〜３）は、予告演出内容決定用抽選テーブル２１５２ａ−５−１の一例である。本例に示されるように、本実施形態においては、主演出内容（左端列にて図示されており、本例では、「主演出Ａ−１（ハズレ）」又は「主演出Ａ−１（大当り）」の場合のみ例示）及び取得乱数値（サブメイン基板側で取得した乱数値であって、左２列目にて図示）に基づき、予告演出内容（左３列目にて図示されており、本例の予告演出テーブル１では、「予告演出Ｂ１−１」〜「予告演出Ｂ１−３」のいずれか）を決定可能に構成されている。そして、予告演出内容が決定された場合には、「表示更新タイミング」と「表示更新内容」とを一義的に決定可能に構成されている。例えば、予告演出内容１＝「予告演出Ｂ１−２」であった場合には、表示更新タイミング」＝「変動開始５秒後」において「表示更新内容」＝「予告画像表示Ｂ１−２（弱セリフ画像表示）」と決定される。そして、後述するように、装飾図柄の変動時間に係る経過時間に応じて、「表示更新タイミング」に到達した「表示更新内容」が、所定条件を充足した場合において実行されることとなる。
【００９４】
次に、図２３は、第二実施形態に係るぱちんこ遊技機における、図１９のステップ２３２０のサブルーチンに係る、サブ（サブメイン基板）側で実行する表示更新処理のフローチャートである。はじめに、本実施形態からの変更点は、ステップ２３２８（第２）及びステップ２３３０（第２）についてであり、その目的は、複数の予告演出を、各表示更新タイミング到達毎に表示可能に構成することである。即ち、ステップ２３２４でＮｏの場合において、ステップ２３２８（第２）で、装飾図柄表示制御手段２１５２ａは、予告演出内容１〜３に係る表示更新タイミングに到達したか否かを判定する。ステップ２３２８（第２）でＹｅｓの場合、ステップ２３３０（第２）で、装飾図柄表示制御手段２１５２ａは、当該表示更新タイミングに到達した表示更新内容に基づく、予告画像表示を実行し、ステップ２５００に移行する。ここで、所定の予告演出内容（例えば、予告演出内容２）の場合、サブ入力ボタン４０００の操作があったことを条件として画像表示を実行するよう構成してもよい。
【００９５】
次に、図２４は、第二実施形態に係るぱちんこ遊技機における、図２３のステップ２５００のサブルーチンに係る、サブ（サブメイン基板）側で実行する予告演出発生タイミング示唆演出表示処理のフローチャートである。まず、ステップ２５０２（第２）で、予告演出発生タイミング示唆演出制御手段２１５２ａ−７は、演出表示関連情報一時記憶手段２１５２ｅを参照し、予告演出内容１〜３に係るすべての表示更新タイミングより前の所定タイミングＴｙ（例えば、Ｔｙ＝１秒）に到達したか否かを判定する。ステップ２５０２（第２）でＹｅｓの場合、ステップ２５０４（第２）で、予告演出発生タイミング示唆演出制御手段２１５２ａ−７は、演出表示関連情報一時記憶手段２１５２ｅを参照し、予告演出内容１に係る表示更新タイミングＴ１αを取得する。次に、ステップ２５０６（第２）で、予告演出発生タイミング示唆演出制御手段２１５２ａ−７は、Ｔ１α−Ｔγ（予告演出内容１に係る表示更新タイミングまでの時間）を算出し、減算タイマＴ１にセットし、カウントダウンを開始する。次に、ステップ２５０８（第２）で、予告演出発生タイミング示唆演出制御手段２１５２ａ−７は、演出表示関連情報一時記憶手段２１５２ｅを参照し、予告演出内容２に係る表示更新タイミングＴ２αを取得する。次に、ステップ２５１０（第２）で、予告演出発生タイミング示唆演出制御手段２１５２ａ−７は、Ｔ２α−Ｔγ（予告演出内容２に係る表示更新タイミングまでの時間）を算出し、減算タイマＴ２にセットし、カウントダウンを開始する。次に、ステップ２５１２（第２）で、予告演出発生タイミング示唆演出制御手段２１５２ａ−７は、演出表示関連情報一時記憶手段２１５２ｅを参照し、予告演出内容３に係る表示更新タイミングＴ３αを取得する。次に、ステップ２５１４（第２）で、予告演出発生タイミング示唆演出制御手段２１５２ａ−７は、Ｔ３α−Ｔγ（予告演出内容３に係る表示更新タイミングまでの時間）を算出し、減算タイマＴ３にセットし、カウントダウンを開始する。次に、予告演出発生タイミング示唆演出制御手段２１５２ａ−７は、演出表示関連情報一時記憶手段２１５２ｅのフラグエリア内にある時系列表示フラグをオンにし、本サブルーチンの呼び出し元に復帰する。
【００９６】
他方、ステップ２５０２（第２）でＮｏの場合、ステップ２５２０（第２）で、予告演出発生タイミング示唆演出制御手段２１５２ａ−７は、演出表示関連情報一時記憶手段２１５２ｅのフラグエリアを参照し、時系列表示フラグがオンであるか否かを判定する。ステップ２５２０（第２）でＹｅｓの場合、ステップ２５２２（第２）で、予告演出発生タイミング示唆演出制御手段２１５２ａ−７は、減算タイマＴ１の値が０より大きいか否かを判定する。ステップ２５２２（第２）でＹｅｓの場合、ステップ２５２４（第２）で、予告演出発生タイミング示唆演出制御手段２１５２ａ−７は、減算タイマＴ１の値を残り時間として再取得し、当該残り時間経過後にて予告演出内容１に係る何らかの予告画像が表示される可能性がある旨（示唆演出１）を所定の表示領域１にて表示し、ステップ２５３２（第２）に移行する。他方、ステップ２５２２（第２）でＮｏの場合、ステップ２５２６（第２）で、予告演出発生タイミング示唆演出制御手段２１５２ａ−７は、示唆演出１の表示内容を消去し、ステップ２５３２（第２）に移行する。
【００９７】
次に、ステップ２５３２（第２）で、予告演出発生タイミング示唆演出制御手段２１５２ａ−７は、減算タイマＴ２の値が０より大きいか否かを判定する。ステップ２５３２（第２）でＹｅｓの場合、ステップ２５３４（第２）で、予告演出発生タイミング示唆演出制御手段２１５２ａ−７は、減算タイマＴ２の値を残り時間として再取得し、当該残り時間経過後にて予告演出内容２に係る何らかの予告画像が表示される可能性がある旨（示唆演出２）を所定の表示領域２にて表示し、ステップ２５４２（第２）に移行する。他方、ステップ２５３２（第２）でＮｏの場合、ステップ２５３６（第２）で、予告演出発生タイミング示唆演出制御手段２１５２ａ−７は、示唆演出２の表示内容を消去し、ステップ２５４２（第２）に移行する。
【００９８】
次に、ステップ２５４２（第２）で、予告演出発生タイミング示唆演出制御手段２１５２ａ−７は、減算タイマＴ３の値が０より大きいか否かを判定する。ステップ２５４２（第２）でＹｅｓの場合、ステップ２５４４（第２）で、予告演出発生タイミング示唆演出制御手段２１５２ａ−７は、減算タイマＴ３の値を残り時間として再取得し、当該残り時間経過後にて予告演出内容３に係る何らかの予告画像が表示される可能性がある旨（示唆演出３）を所定の表示領域３にて表示し、ステップ２５５０（第２）に移行する。他方、ステップ２５４２（第２）でＮｏの場合、ステップ２５４６（第２）で、予告演出発生タイミング示唆演出制御手段２１５２ａ−７は、示唆演出３の表示内容を消去し、ステップ２５５０（第２）に移行する。
【００９９】
次に、ステップ２５５０（第２）で、予告演出発生タイミング示唆演出制御手段２１５２ａ−７は、減算タイマＴ１〜Ｔ３がすべてタイムアップしたか否かを判定する。ステップ２５５０（第２）でＹｅｓの場合、ステップ２５５２（第２）で、予告演出発生タイミング示唆演出制御手段２１５２ａ−７は、演出表示関連情報一時記憶手段２１５２ｅのフラグエリア内にある時系列表示フラグをオフにし、本サブルーチンの呼び出し元に復帰する。尚、ステップ２５２０（第２）及びステップ２５５０でＮｏの場合にも、本サブルーチンの呼び出し元に復帰する。
【０１００】
＜まとめ＞
以上のように構成した場合における作用イメージ図を欄外に示す。同作用イメージ図に示されるように、第二実施形態においては、一の主演出実行中にて複数の予告演出（本例では、予告演出内容１〜３）が実行されるよう構成されている状況下、当該複数の予告演出の発生タイミングを時系列的に示唆（又は明確に報知）することができるため、このように構成されている場合においても、遊技者にとっては演出の流れがより明確となり得る結果、遊技（演出）の興趣性を向上させることが可能となるのである。尚、第二実施形態においては、本実施形態で説明した第二示唆演出のみを表示するよう構成されているが、これには限定されず、予告演出毎に第一示唆演出を表示するよう構成することも可能であることを補足しておく。
【０１０１】
＜第二実施形態の変更例１＞
尚、第二実施形態に係るぱちんこ遊技機においては、時系列的に実行された複数の予告演出内容の組み合わせに基づいて、大当り期待度を表示するよう構成してもよい。そこで、このような構成の一例を、第二実施形態の変更例１とし、以下、第二実施形態からの変更点についてのみ詳述する。
【０１０２】
まず、図２５は、第二実施形態の変更例１に係るぱちんこ遊技機における、図２３のステップ２３２０のサブルーチンに係る、サブ（サブメイン基板）側で実行する表示更新処理のフローチャートである。はじめに、第二実施形態からの変更点は、ステップ２３３２（第２変１）についてであり、その目的は、時系列的に実行された複数の予告演出内容の組み合わせに基づいて、大当り期待度を表示可能に構成することである。即ち、ステップ２３３０（第２）において各予告演出内容を実行した後、ステップ２３３２（第２変１）において、装飾図柄表示制御手段２１５２ａは、当該実行された予告演出内容の実行履歴に基づき、大当り期待度導出テーブル（後述するように、テーブルを備えることには限定されない）を参照して、大当り期待度を取得すると共に、当該取得した大当り期待度を演出表示装置２１４０上の適宜表示位置にて表示し、ステップ２５００に移行する。尚、図柄変動終了時においては、当該画像表示の実行履歴を適宜クリアすることが望ましい。ここで、大当り期待度導出テーブルの一例を図中欄外に示す。本例に示されるように、予告演出内容となる画像表示の実行履歴１〜３に基づいて大当り期待度を導出するよう構成されており、画像表示された回数が多いほど（最大３回）大当り期待度が高くなり易くなるよう構成されている。より具体的には、予告演出内容として演出表示装置２１４０上に何も画像が表示されない「予告画像表示Ｂ１−１」や「予告画像表示Ｂ２−１」等が実行された場合には、大当り期待度＝０％となる一方、予告演出内容として演出表示装置２１４０上に何らかの画像が表示される「予告画像表示Ｂ１−２」や「予告画像表示Ｂ２−２」等が実行された場合には、その都度大当り期待度が加算表示されるよう構成されているのである。また、大当り期待度を加算表示するに際しては、例えば、「予告画像表示Ｂ１−１」→「予告画像表示Ｂ２−１」→「予告画像表示Ｂ３−２」：大当り期待度＝７５％とする一方、「予告画像表示Ｂ１−１」→「予告画像表示Ｂ２−２」→「予告画像表示Ｂ３−２」：大当り期待度＝８０％とする例に示されるように、画像表示の実行履歴に応じて大当り期待度が著しく高くなってしまう（例えば、１００％近い値になってしまう）ことを回避するよう、適宜加算表示が調整されるよう構成されている。しかしながら、これには限定されず、各予告演出内容に応じて大当り期待度の加算表示が予め定められており（例えば、「予告画像表示Ｂ１−１」：大当り期待度＝０％、「予告画像表示Ｂ２−２」：大当り期待度＝３０％、「予告画像表示Ｂ３−２」：大当り期待度＝４０％とし）、各予告演出内容が実行された場合には、当該予め定められた大当り期待度を単純に加算表示するよう構成してもよい（このように構成する場合には、本例に示されるような、大当り期待度導出テーブルは不要となる）。尚、大当り時にのみ選択される予告演出内容（本例では、「予告画像表示Ｂ１−３」や「予告画像表示Ｂ２−３」等が実行された場合には、大当り期待度が著しく高くなる（例えば、１００％又は１００％に近い値になる）よう構成してもよい。
【０１０３】
以上の構成へと変更することで、第二実施形態の変更例１に係るぱちんこ遊技機においては、一の主演出実行中にて複数の予告演出（本例では、予告演出内容１〜３）が実行されるよう構成されていると共に、当該複数の予告演出の発生タイミングを時系列的に示唆（又は明確に報知）することができるよう構成されている状況下、時系列的に実行された複数の予告演出内容の組み合わせに基づいて、大当り期待度を表示するよう構成されているため、遊技者にとっては演出の流れが更に明確となり得る結果、遊技（演出）の興趣性を向上させることが可能となるのである。
【０１０４】
＜第二実施形態の変更例２＞
尚、第二実施形態（本実施形態も含む）においては、ある図柄変動中における予告演出の発生タイミングのみを対象として示唆演出を実行するよう構成したが、これには限定されない。即ち、当該ある図柄変動中において実行中である示唆演出によって、当該ある図柄変動の次回以降の図柄変動における予告演出の発生タイミングを示唆（又は明確に報知）するよう構成することも可能である。そこで、このような構成の一例を、第二実施形態の変更例２とし、以下、第二実施形態からの変更点についてのみ詳述する。
【０１０５】
まず、図２６は、第二実施形態の変更例２に係るぱちんこ遊技機における、演出表示制御手段２１５０が行う一般的な処理の流れを示したメインフローチャート２０００である。はじめに、第二実施形態からの変更点はステップ２６００（第２変２）についてであり、その目的は、複数の図柄変動に亘って示唆演出を実行可能とすることである。即ち、メインフローチャート２０００の実行時において、ステップ２６００（第２変２）で、演出表示制御手段２１５０は、後述する予告演出発生タイミング示唆演出延長表示制御処理を実行する。
【０１０６】
次に、図２７は、第二実施形態の変更例２に係るぱちんこ遊技機における、図２４のステップ２５００のサブルーチンに係る、サブ（サブメイン基板）側で実行する予告演出発生タイミング示唆演出表示処理のフローチャートである。はじめに、第二実施形態からの変更点は、ステップ２５６０（第２変２）〜ステップ２５７０（第２変２）についてであり、その目的は、示唆演出の表示中において、新たな保留が発生した際には、当該新たな保留消化時において実行予定である予告演出内容に基づき、示唆演出の実行内容を変更し得るよう構成することである。即ち、ステップ２５５０（第２）でＮｏの場合において、ステップ２５６０（第２変２）で、予告演出発生タイミング示唆演出制御手段２１５２ａ−７は、示唆演出の実行中において、新たな保留が生起したか否かを判定する。ステップ２５６０（第２変２）でＹｅｓの場合、ステップ２５６２（第２変２）で、予告演出発生タイミング示唆演出制御手段２１５２ａ−７は、当該新たな保留に係る保留情報に基づき、予告演出内容１〜３のいずれかが実行される予定であるか否かを事前判定する。次にステップ２５６４（第２変２）で、予告演出発生タイミング示唆演出制御手段２１５２ａ−７は、当該事前判定結果に基づき、当該新たな保留消化時において予告演出内容１〜３のいずれかの実行予定があるか否かを判定する。ステップ２５６４（第２変２）でＹｅｓの場合、ステップ２５６６（第２変２）で、予告演出発生タイミング示唆演出制御手段２１５２ａ−７は、当該新たな保留をトリガ保留としてセットする（例えば、保留情報にトリガ保留である旨の情報をマーキングする）。次に、ステップ２５６８（第２変２）で、予告演出発生タイミング示唆演出制御手段２１５２ａ−７は、演出表示関連情報一時記憶手段２１５２ｅのフラグエリア内にある時系列延長表示許可フラグをオンにする。次に、ステップ２５７０（第２変２）で、予告演出発生タイミング示唆演出制御手段２１５２ａ−７は、演出表示関連情報一時記憶手段２１５２ｅのフラグエリア内にある時系列表示フラグをオフにし、本サブルーチンの呼び出し元に復帰する。尚、ステップ２５６０（第２変２）又はステップ２５６４（第２変２）でＮｏの場合にも、本サブルーチンの呼び出し元に復帰する。
【０１０７】
次に、図２８は、第二実施形態の変更例２に係るぱちんこ遊技機における、図２７のステップ２６００のサブルーチンに係る、サブ（サブメイン基板）側で実行する予告演出発生タイミング示唆演出延長表示制御処理のフローチャートである。まず、ステップ２６０２（第２変２）で、予告演出発生タイミング示唆演出制御手段２１５２ａ−７は、演出表示関連情報一時記憶手段２１５２ｅのフラグエリアを参照し、時系列延長表示許可フラグがオンであるか否かを判定する。ステップ２６０２（第２変２）でＹｅｓの場合、ステップ２６０４（第２変２）で、予告演出発生タイミング示唆演出制御手段２１５２ａ−７は、演出表示関連情報一時記憶手段２１５２ｅのフラグエリア内にある時系列延長表示許可フラグをオフにする。次に、ステップ２６０６（第２変２）で、予告演出発生タイミング示唆演出制御手段２１５２ａ−７は、前述したトリガ保留の消化時における予告演出内容１〜３に係る実行予定を確認する。次に、ステップ２６１０（第２変２）で、予告演出発生タイミング示唆演出制御手段２１５２ａ−７は、当該確認結果に基づき、トリガ保留の消化時において予告演出内容１を実行予定であるか否かを判定する。ステップ２６１０（第２変２）でＹｅｓの場合、ステップ２６１２（第２変２）で、予告演出発生タイミング示唆演出制御手段２１５２ａ−７は、当該実行予定である予告演出内容１に係る表示更新タイミングＴ１αを事前判定する。次に、ステップ２６１４（第２変２）で、予告演出発生タイミング示唆演出制御手段２１５２ａ−７は、（装飾図柄の変動時間の残り時間）＋（トリガ保留より前の保留に係る変動時間）＋Ｔ１αとなる時間値（換言すれば、現時点から当該実行予定である予告演出内容１に係る表示更新タイミングまでの残り時間値）を算出すると共に、減算タイマＴ１にセットしてカウントダウンを開始し、ステップ２６２０（第２変２）に移行する。他方、ステップ２６１０でＮｏの場合にも、ステップ２６２０（第２変２）に移行する。
【０１０８】
次に、ステップ２６２０（第２変２）で、予告演出発生タイミング示唆演出制御手段２１５２ａ−７は、前述した確認内容に基づき、トリガ保留の消化時において予告演出内容２を実行予定であるか否かを判定する。ステップ２６２０（第２変２）でＹｅｓの場合、ステップ２６２２（第２変２）で、予告演出発生タイミング示唆演出制御手段２１５２ａ−７は、当該実行予定である予告演出内容２に係る表示更新タイミングＴ２αを事前判定する。次に、ステップ２６２４（第２変２）で、予告演出発生タイミング示唆演出制御手段２１５２ａ−７は、（装図変動時間の残り時間）＋（トリガ保留より前の保留に係る変動時間）＋Ｔ２αとなる時間値（換言すれば、現時点から当該実行予定である予告演出内容２に係る表示更新タイミングまでの残り時間値）を算出すると共に、減算タイマＴ２にセットしてカウントダウンを開始し、ステップ２６３０（第２変２）に移行する。他方、ステップ２６２０でＮｏの場合にも、ステップ２６３０（第２変２）に移行する。
【０１０９】
次に、ステップ２６３０（第２変２）で、予告演出発生タイミング示唆演出制御手段２１５２ａ−７は、前述した確認内容に基づき、トリガ保留の消化時において予告演出内容３を実行予定であるか否かを判定する。ステップ２６３０（第２変２）でＹｅｓの場合、ステップ２６３２（第２変２）で、予告演出発生タイミング示唆演出制御手段２１５２ａ−７は、当該実行予定である予告演出内容３に係る表示更新タイミングＴ３αを事前判定する。次に、ステップ２６３４（第２変２）で、予告演出発生タイミング示唆演出制御手段２１５２ａ−７は、（装図変動時間の残り時間）＋（トリガ保留より前の保留に係る変動時間）＋Ｔ３αとなる時間値（換言すれば、現時点から当該実行予定である予告演出内容３に係る表示更新タイミングまでの残り時間値）を算出すると共に、減算タイマＴ３にセットしてカウントダウンを開始し、ステップ２６４０（第２変２）に移行する。他方、ステップ２６３０でＮｏの場合にも、ステップ２６４０（第２変２）に移行する。
【０１１０】
次に、ステップ２６４０（第２変２）で、予告演出発生タイミング示唆演出制御手段２１５２ａ−７は、演出表示関連情報一時記憶手段２１５２ｅのフラグエリア内にある時系列延長表示フラグをオンにし、本サブルーチンの呼び出し元に復帰する。
【０１１１】
他方、ステップ２６０２（第２変２）でＮｏの場合、ステップ２６４２（第２変２）で、予告演出発生タイミング示唆演出制御手段２１５２ａ−７は、演出表示関連情報一時記憶手段２１５２ｅのフラグエリアを参照し、時系列延長表示フラグがオンであるか否かを判定する。ステップ２６４２（第２変２）でＹｅｓの場合、ステップ２６５０（第２変２）で、予告演出発生タイミング示唆演出制御手段２１５２ａ−７は、減算タイマＴ１の値が０より大きいか否かを判定する。ステップ２６５０（第２変２）でＹｅｓの場合、ステップ２６５２（第２変２）で、予告演出発生タイミング示唆演出制御手段２１５２ａ−７は、減算タイマＴ１の値を残り時間として再取得し、当該残り時間経過後にて予告演出内容１に係る何らかの予告画像が表示される可能性がある旨を所定の表示領域１にて表示し、ステップ２６６０（第２変２）に移行する。他方、ステップ２６５０（第２変２）でＮｏの場合、ステップ２６５４（第２変２）で、予告演出発生タイミング示唆演出制御手段２１５２ａ−７は、ステップ２６５２（第２変２）における表示内容を消去し、ステップ２６６０（第２変２）に移行する。
【０１１２】
次に、ステップ２６６０（第２変２）で、予告演出発生タイミング示唆演出制御手段２１５２ａ−７は、減算タイマＴ２の値が０より大きいか否かを判定する。ステップ２６６０（第２変２）でＹｅｓの場合、ステップ２６６２（第２変２）で、予告演出発生タイミング示唆演出制御手段２１５２ａ−７は、減算タイマＴ２の値を残り時間として再取得し、当該残り時間経過後にて予告演出内容２に係る何らかの予告画像が表示される可能性がある旨を所定の表示領域２にて表示し、ステップ２６７０（第２変２）に移行する。他方、ステップ２６６０（第２変２）でＮｏの場合、ステップ２６６４（第２変２）で、予告演出発生タイミング示唆演出制御手段２１５２ａ−７は、ステップ２６６２（第２変２）における表示内容を消去し、ステップ２６７０（第２変２）に移行する。
【０１１３】
次に、ステップ２６７０（第２変２）で、予告演出発生タイミング示唆演出制御手段２１５２ａ−７は、減算タイマＴ３の値が０より大きいか否かを判定する。ステップ２６７０（第２変２）でＹｅｓの場合、ステップ２６７２（第２変２）で、予告演出発生タイミング示唆演出制御手段２１５２ａ−７は、減算タイマＴ３の値を残り時間として再取得し、当該残り時間経過後にて予告演出内容３に係る何らかの予告画像が表示される可能性がある旨を所定の表示領域３にて表示し、ステップ２６８０（第２変２）に移行する。他方、ステップ２６７０（第２変２）でＮｏの場合、ステップ２６７４（第２変２）で、予告演出発生タイミング示唆演出制御手段２１５２ａ−７は、前記ステップ２６７２（第２変２）における表示内容を消去し、ステップ２６８０（第２変２）に移行する。
【０１１４】
次に、ステップ２６８０（第２変２）で、予告演出発生タイミング示唆演出制御手段２１５２ａ−７は、予告演出発生タイミング示唆タイマ２１５２ａ−７−１を参照し、減算タイマＴ１〜Ｔ３がすべてタイムアップしたか否かを判定する。ステップ２６８０（第２変２）でＹｅｓの場合、ステップ２６８２（第２変２）で、予告演出発生タイミング示唆演出制御手段２１５２ａ−７は、演出表示関連情報一時記憶手段２１５２ｅのフラグエリア内にある時系列延長表示フラグをオフにし、本サブルーチンの呼び出し元に復帰する。尚、ステップ２６４２（第２変２）及びステップ２６８０（第２変２）でＮｏの場合にも、本サブルーチンの呼び出し元に復帰する。
【０１１５】
以上の構成へと変更することで、第二実施形態の変更例２に係るぱちんこ遊技機においては、ある図柄変動中にて複数の予告演出（本例では、予告演出内容１〜３）が実行されるよう構成されていると共に、当該複数の予告演出の発生タイミングを時系列的に示唆（又は明確に報知）することができる（本例でいうところの示唆演出を実行する）よう構成されている状況下、当該ある図柄変動中において実行中である示唆演出によって、当該ある図柄変動の次回以降の図柄変動における予告演出の発生タイミングを示唆（又は明確に報知）するよう構成されているため、遊技者にとっては演出の流れが明確となり得ると共に、いわゆる保留先読み演出の機能をも兼ね備える結果、遊技（演出）の興趣性を更に向上させることが可能となるのである。
【０１１６】
尚、第二実施形態の変更例２においては、ある図柄変動中にて示唆演出を実行している状況下にて新たに保留が発生した場合においてのみ、当該新たな保留消化時における予告演出の発生タイミングを示唆（又は明確に報知）するよう構成したが、これには限定されず、示唆演出が実行されていない状況下にて新たに保留が発生した場合においても同様に、当該新たな保留消化時における予告演出の発生タイミングを示唆（又は明確に報知）するよう構成してもよい。また、新たな保留消化時における予告演出の発生タイミングを示唆（又は明確に報知）するに際し、現時点で示唆演出にて表示中である発生タイミング（本例では、タイマによる残り時間表示）を延長する点についてのみ例示しているが、これには限定されず、例えば、当該タイマによる残り時間表示を一時停止させ、新たな保留消化時における予告演出の発生タイミングまでの残時間に合致するタイミングに到達したことを契機として再開するよう構成する、或いは、当該タイマによる残り時間表示がゼロになった時点で、新たな保留消化時における予告演出の発生タイミングを再取得（セット）して再開する、といった手法を採用してもよい。
【０１１７】
また、ステップ２６１４（第２変２）等において算出した、トリガ保留消化時において実行予定である予告演出内容に係る表示更新タイミングまでの残り時間値は、より正確な値であるほど遊技（演出）の興趣性を向上させることに資するものとなる。このような目的を達成するためには、当該残り時間値を算出後において、図柄変動時間の増減が発生し得ることを考慮した構成としておくことが望ましいこととなる。より具体的には、（方法１）当該残り時間値を算出後において図柄変動時間が増減することが判明した時点で、表示中の残り時間値をその都度加減算する、（方法２）示唆演出が実行され得る主遊技図柄の変動態様を特定の変動態様として予め定めておき（例えば、主遊技図柄の変動態様として、「Ａ１＝３０秒」、「Ａ２＝４０秒」、「Ａ３＝５０秒」が存在している場合、主遊技図柄の変動態様として「Ａ１」が選択されたことを契機として示唆演出を実行するよう構成する）、当該特定の変動態様と特定のハズレ図柄（或いは小当り図柄）とをリンクさせておくと共に、当該特定のハズレ図柄（或いは小当り図柄）が停止表示されたことを契機として、以降所定回数の図柄変動が繰り返されるまでは、主遊技図柄の変動態様として一定の変動時間値（例えば、６０秒）が強制的に選択される状態（いわゆる限定頻度状態）へ移行するよう構成する、（方法３）遊技状態（例えば、保留数）に拘わらず、主遊技図柄の変動態様として特定の変動態様のみが選択され得る（例えば、保留数１〜４のいずれの状況においても、主遊技図柄の変動態様として、「Ａ１＝３０秒」、「Ａ２＝４０秒」、「Ａ３＝５０秒」のいずれかが選択される）よう構成することで、図柄変動時間の事前判定結果に齟齬が発生することを回避する、といった方法を挙げることができる。
【０１１８】
尚、本実施形態（及び第二実施形態）では、ぱちんこ遊技機においてのみ例示しているが、回胴式遊技機（いわゆる）スロットマシンに対しても適用することが可能である。ここで、周知のスロットマシンについて補足説明しておく。
【０１１９】
まず、周知のスロットマシンには、遊技の進行を司る主遊技制御部としてのメイン基板と、演出の実行を司る副遊技制御部としてのサブ基板（サブメイン基板、サブサブ基板）と、主遊技用識別情報を表示するための主遊技用識別情報表示部として複数の識別情報が夫々外周上に配置された複数列（一般には３列）のリールと、遊技者によって操作可能であって遊技開始を指示する主遊技開始指示装置としてのスタートレバーと、遊技者によって操作可能であって遊技進行を指示する主遊技進行指示装置としてのストップボタンと、を有している。そして、メイン基板には、スタートレバーが操作されたことを契機として主遊技用乱数を取得する主遊技用乱数取得手段と、主遊技用乱数取得手段が取得した乱数に基づき一又は複数の停止識別情報を暫定的に決定する主遊技用識別情報表示内容決定手段（例えば、小役や特別遊技に係る役物等の当選役を内部的に決定する表示内容決定手段）と、主遊技用識別情報表示内容決定手段により暫定的に決定された一又は複数の停止識別情報とストップボタンの操作タイミングとに基づき、一の停止識別情報を主遊技用識別情報表示部であるリール上に確定表示するよう制御する主遊技用識別情報表示制御手段（例えば、内部的に決定された当選役とストップボタンが押圧されたタイミングとに基づき、所定の位置でリールを停止するリール制御手段）と、主遊技用識別情報表示部であるリール上にて停止識別情報として所定態様が表示された場合、特別遊技に移行させるよう制御する特別遊技実行制御手段（例えば、「７７７等」が所定の有効ライン上に並んだことを契機として、特別役物を作動させる特別役物作動手段）と、主遊技用乱数取得手段が取得した主遊技用乱数に関する情報を副遊技制御部側に送信する主遊技側情報送信制御手段と、を有している。
【０１２０】
このような周知構成のスロットマシンにおける副遊技制御部側について、本実施形態に係る構成を適用することができるのである。具体的には、スロットマシンにおいては、スタートレバーが操作されたことを契機として、或いは、ストップボタンが操作されたことを契機として、本実施形態における予告演出の実行可否や実行内容を決定することが可能であり、当該決定に際して本実施形態（及び第二実施形態）に係る構成を適用することが可能である。
【符号の説明】
【０１２１】
１０００  主制御装置
１１００  遊技制御手段、１１１０  入球判定手段
１１１１  主遊技始動口入球判定手段、１１１２  補助遊技始動口入球判定手段
１１２０  乱数取得判定実行手段、１１２１  主遊技乱数取得判定実行手段
１１２２  補助遊技乱数取得判定実行手段、１１３０  保留制御手段
１１３１  主遊技図柄保留手段、１１３１ａ  主遊技図柄保留情報一時記憶手段
１１３２  補助遊技図柄保留手段、１１３２ａ  補助遊技図柄保留情報一時記憶手段
１１３５  当否抽選手段、１１３５ａ  特別遊技移行決定手段
１１３５ｂ  当否抽選用テーブル、１１３５ｂ−１  主遊技用当否抽選テーブル
１１４０  図柄内容決定手段、１１４１  主遊技内容決定手段
１１４１ａ  主遊技内容決定用抽選テーブル、１１４２  補助遊技内容決定手段
１１４２ａ  補助遊技内容決定用抽選テーブル、１１５０  表示制御手段
１１５１  主遊技図柄制御手段、１１５１ａ  主遊技図柄変動時間管理手段
１１５１ａ−１  主遊技図柄変動管理用タイマ、１１５２  補助遊技図柄制御手段
１１５２ａ  補助遊技図柄変動時間管理手段、１１５２ａ−１  補助遊技図柄変動管理用タイマ
１１６０  電動役物開閉制御手段、１１６１  条件判定手段
１１６２  開放タイマ、１１７０  特別遊技制御手段
１１７１  条件判定手段、１１７２  特別遊技内容決定手段
１１７２ａ  特別遊技内容参照テーブル、１１７３  特別遊技実行手段
１１７４  特別遊技時間管理手段、１１７４ａ  特別遊技用タイマ
１１８０  特定遊技制御手段、１１８１  特定遊技終了条件判定手段
１１８１ａ  時短回数カウンタ、１１９０  遊技状態一時記憶手段
１１９１  主遊技状態一時記憶手段、１１９１ａ  フラグ一時記憶手段
１１９１ｂ  主遊技図柄情報一時記憶手段、１１９１ｃ  特別遊技関連情報一時記憶手段
１１９２  補助遊技状態一時記憶手段、１１９２ａ  補助遊技関連情報一時記憶手段
１１９２ｂ  補助遊技図柄情報一時記憶手段、１２００  情報送信手段
１３００  賞球払出決定手段
２０００  遊技周辺機器
２１１０  主遊技始動口、２１１１  主遊技始動口入球検出装置
２１１２  主遊技始動口電動役物、２１３０  主遊技図柄表示装置
２１３１  主遊技図柄表示部、２１３２  主遊技図柄保留表示部
２１２０  大入賞口、２１２１  大入賞口入賞検出装置
２１２２  大入賞口電動役物、２２００  補助遊技周辺機器
２２１０  補助遊技始動口、２２１１  補助遊技始動口入球検出装置
２２２０  補助遊技図柄表示装置、２２２１  補助遊技図柄表示部
２２２２  補助遊技図柄保留表示部
２１５０  演出表示制御手段
２１５１  表示情報受信手段、２１５１ａ  メイン側情報一時記憶手段
２１５２  表示制御手段、２１５２ａ  装飾図柄表示制御手段
２１５２ａ−１  装図表示内容決定手段、２１５２ａ−１−１  装図変動内容決定用抽選テーブル
２１５２ａ−１−２  装図停止図柄決定用抽選テーブル、２１５２ａ−３  主演出動作内容決定手段
２１５２ａ−３−１  主演出動作内容決定用抽選テーブル、２１５２ａ−４  変動時間管理タイマ
２１５２ａ−４−１  装図変動時間管理タイマ、２１５２ａ−５  予告演出内容決定手段
２１５２ａ−５−１  予告演出内容決定用抽選テーブル、２１５２ａ−７  予告演出発生タイミング示唆演出制御手段
２１５２ａ−７−１  予告演出発生タイミング示唆タイマ、２１５２ｂ  装図保留情報表示制御手段
２１５２ｄ  特別遊技中表示制御手段、２１５２ｅ  演出表示関連情報一時記憶手段
２１５２ｅ−２  装図保留情報一時記憶手段、２１４０  演出表示装置
２１４１  装図表示部、２１４２  装図保留表示部
４０００  演出操作装置
３０００  賞球払出制御装置
【図１】
2014042563.tif 000003
【図２】
2014042563.tif 000004
【図３】
2014042563.tif 000005
【図４】
2014042563.tif 000006
【図５】
2014042563.tif 000007
【図６】
2014042563.tif 000008
【図７】
2014042563.tif 000009
【図８】
2014042563.tif 000010
【図９】
2014042563.tif 000011
【図１０】
2014042563.tif 000012
【図１１】
2014042563.tif 000013
【図１２】
2014042563.tif 000014
【図１３】
2014042563.tif 000015
【図１４】
2014042563.tif 000016
【図１５】
2014042563.tif 000017
【図１６】
2014042563.tif 000018
【図１７】
2014042563.tif 000019
【図１８】
2014042563.tif 000020
【図１９】
2014042563.tif 000021
【図２０】
2014042563.tif 000022
【図２１】
2014042563.tif 000023
【図２２】
2014042563.tif 000024
【図２３】
2014042563.tif 000025
【図２４】
2014042563.tif 000026
【図２５】
2014042563.tif 000027
【図２６】
2014042563.tif 000028
【図２７】
2014042563.tif 000029
【図２８】
2014042563.tif 000030